(57)【要約】【課題】  本発明の課題は、投薬スケジュールにおいて日の途中で変更になる処方を見易く表示することを目的とする。【解決手段】  上記課題は、指示された処方に応じて投薬対象日についての投薬タイミングを明示する投薬スケジュールをカレンダ表示する制御をコンピュータに実行させる制御プログラムにおいて、指示済の処方を中止する入力が行われた場合に、処方を中止する当日において中止対象でない処方タイミングが存在することを検出すると、該処方を中止する当日における投薬タイミングの明示を維持しつつ処方の中止を示すマークを該処方を中止する当日の表示欄に表示する制御を行うことにより達成される。【選択図】  図２１
2015079423.tif 000002
【特許請求の範囲】
【請求項１】
指示された処方に応じて投薬対象日についての投薬タイミングを明示する投薬スケジュールをカレンダ表示する制御をコンピュータに実行させる制御プログラムにおいて、
指示済の処方を中止する入力が行われた場合に、処方を中止する当日において中止対象でない処方タイミングが存在することを検出すると、該処方を中止する当日における投薬タイミングの明示を維持しつつ処方の中止を示すマークを該処方を中止する当日の表示欄に表示する制御を行う、
処理を実行させることを特徴とする制御プログラム。
【請求項２】
指示された処方に応じて投薬時間スケジュールを表示する制御をコンピュータに実行させる制御プログラムであって、
指示済の処方を中止する入力が行われた場合に、処方の中止が行われる当日であって処方を中止する対象の時間よりも前の時間であって、該処方の中止が行われる当日であって中止の対象外の最後の処方を行う時間よりも後の時間の時間枠内に中止される該処方の内容と該処方の中止を示す情報とを含む表示を行う、
処理を実行させることを特徴とする制御プログラム。
【請求項３】
前記処方の中止が行われる当日であって処方を中止する対象の時間枠内には、前記処方についての表示は行わない、ことを特徴とする請求項２記載の制御プログラム。
【請求項４】
指示された処方に応じて投薬対象日についての投薬タイミングを明示する投薬スケジュールをカレンダ表示する制御をコンピュータが実行する制御方法であって、
指示済の処方を中止する入力が行われた場合に、処方を中止する当日において中止対象でない処方タイミングが存在することを検出すると、該処方を中止する当日における投薬タイミングの明示を維持しつつ処方の中止を示すマークを該処方を中止する当日の表示欄に表示する制御を行う、
処理を前記コンピュータが実行することを特徴とする制御方法。
【請求項５】
指示された処方に応じて投薬対象日についての投薬タイミングを明示する投薬スケジュールをカレンダ表示する制御を行う制御装置であって、
指示済の処方を中止する入力が行われた場合に、処方を中止する当日において中止対象でない処方タイミングが存在することを検出すると、該処方を中止する当日における投薬タイミングの明示を維持しつつ処方の中止を示すマークを該処方を中止する当日の表示欄に表示する制御部を有する
ことを特徴とする制御装置。
【発明の詳細な説明】
【技術分野】
【０００１】
本発明は、投薬スケジュールの表示制御に関する。
【背景技術】
【０００２】
医療機関において、医師によって指示された入院患者の処方内容及びスケジュールを示す経過表を医療従事者の端末に表示させて、医療従事者が医師の指示した内容を確認できるようにしたシステムが導入されている。
【０００３】
例えば、診療情報に係る診療日付を横軸に並べて表示し、個々の診療情報についてその実施の有無を日付に対応させて表示すること等が知られている。
【先行技術文献】
【特許文献】
【０００４】
【特許文献１】特開２００４−１６４１９６号公報
【発明の概要】
【発明が解決しようとする課題】
【０００５】
上記従来の入院患者の診療計画では、医師が発行した投薬等の予定を確認できるようにしたものであり、診療計画の途中で、医師により投薬の中止等の指示があった場合、その指示の有無や中止のタイミングを、端末に表示された診療計画からでは知ることができない。
【０００６】
例えば、医師の初期の指示は「今日から７日分、朝夕食事後に服用する第１の薬と、昼夕食後に服用する第２の薬」の２レシピ（２種類の用法）であった処方が、その後に、医師により、「２日目の朝食後の服用迄で第２の薬の服用を中止する」と指示される場合がある。上記従来の入院患者の診療計画では、このような、日の途中で服用が中止になった処方を確認することができない。
【０００７】
１つの側面では、本発明は、投薬スケジュールにおいて日の途中で変更になる処方を見易く表示することである。
【課題を解決するための手段】
【０００８】
本実施例の一態様によれば、指示された処方に応じて投薬対象日についての投薬タイミングを明示する投薬スケジュールをカレンダ表示する制御をコンピュータに実行させる制御プログラムにおいて、指示済の処方を中止する入力が行われた場合に、処方を中止する当日において中止対象でない処方タイミングが存在することを検出すると、該処方を中止する当日における投薬タイミングの明示を維持しつつ処方の中止を示すマークを該処方を中止する当日の表示欄に表示する制御を行う。
【０００９】
また、上記課題を解決するための手段として、上記処理を行う制御装置、制御方法、及び上記制御プログラムを記憶した記憶媒体とすることもできる。
【発明の効果】
【００１０】
本実施例の一態様によれば、投薬スケジュールにおいて日の途中で変更になる処方を見易く表示できる。
【図面の簡単な説明】
【００１１】
【図１】本実施例におけるシステム構成例を示す図である。
【図２】コンピュータ装置のハードウェア構成を示す図である。
【図３】サーバの機能構成例を示す図である。
【図４】看護師端末の機能構成例を示す図である。
【図５】基本ケースのオーダ情報例を示す図である。
【図６】基本ケースの処方薬用法情報のデータ例を示す図である。
【図７】基本ケースの第１内部テーブルのデータ例を示す図である。
【図８】基本ケースの第２内部テーブルのデータ例を示す図である。
【図９】基本ケースのキー情報のデータ例を示す図である。
【図１０】基本ケースの日毎の対応テーブルのデータ例を示す図である。
【図１１】基本ケースの時間枠毎の対応テーブルのデータ例を示す図である。
【図１２】基本ケースで、画面表示期間を変更したときの時間枠毎の対応テーブルのデータ例を示す図である。
【図１３】処方中止ケースのオーダ情報例を示す図である。
【図１４】処方中止ケースの処方薬用法情報のデータ例を示す図である。
【図１５】処方中止ケースの第１内部テーブルのデータ例を示す図である。
【図１６】処方中止ケースの第２内部テーブルのデータ例を示す図（その１）である。
【図１７】処方中止ケースの第２内部テーブルのデータ例を示す図（その２）である。
【図１８】処方中止ケースの第２内部テーブルのデータ例を示す図（その３）である。
【図１９】処方中止ケースの日毎の対応テーブルのデータ例を示す図である。
【図２０】処方中止ケースの時間枠毎の対応テーブルのデータ例を示す図である。
【図２１】処方中止ケースの図１９の対応テーブルに基づく日毎の経過表の表示例を示す図である。
【図２２】処方中止ケースの図２０の対応テーブルに基づく日毎の経過表の表示例を示す図である。
【図２３】飲み切り終了ケースのオーダ情報例を示す図である。
【図２４】飲み切り終了ケースの処方薬用法情報のデータ例を示す図である。
【図２５】飲み切り終了ケースの第１内部テーブルのデータ例を示す図である。
【図２６】飲み切り終了ケースの第２内部テーブルのデータ例を示す図（その１）である。
【図２７】飲み切り終了ケースの第２内部テーブルのデータ例を示す図（その２）である。
【図２８】飲み切り終了ケースの第２内部テーブルのデータ例を示す図（その３）である。
【図２９】飲み切り終了ケースのキー情報のデータ例を示す図である。
【図３０】飲み切り終了ケースの日毎の対応テーブルのデータ例を示す図である。
【図３１】飲み切り終了ケースの時間枠毎の対応テーブルのデータ例を示す図である。
【図３２】飲み切り終了ケースの図２９の対応テーブルに基づく日毎の経過表の表示例を示す図である。
【図３３】飲み切り終了ケースの図３０の対応テーブルに基づく時間枠毎の経過表の表示例を示す図である。
【図３４】経過表の印刷出力例を示す図である。
【図３５】看護師端末の経過表作成部による経過表作成処理を説明するための図（その１）である。
【図３６】看護師端末の経過表作成部による経過表作成処理を説明するための図（その２）である。
【発明を実施するための形態】
【００１２】
以下、本発明の実施の形態を図面に基づいて説明する。先ず、医療機関に導入される本実施例におけるシステムの概要について説明する。図１は、本実施例におけるシステム構成例を示す図である。
【００１３】
図１において、システム１０００は、医療機関において、医師の指示に基づいて入院患者を治療するための投薬スケジュールを示す経過表を表示制御するシステムである。システム１０００は、サーバ１００と、１以上の医師端末３と、１以上の看護師端末５と、プリンタ６とを有し、ネットワーク２を介して互いに接続されている。
【００１４】
医師端末３は、医師によって使用される端末である。医師は、医師端末３を用いて、入院患者への投薬等の処方に関するオーダを発行することができる。医師端末３から発行されたオーダ内容を含むオーダ情報３０１はネットワーク２を介して、サーバ１００に送信される。医師端末３は、また、入院患者の経過表５１６を表示することもできる。実施例の説明では、看護師端末５で経過表５１６を表示する場合で説明するが、経過表５１６を表示する端末を看護師端末５に限定するものではない。
【００１５】
看護師端末５は、入院患者の経過表５１６を表示する。看護師端末５は、看護師から経過表５１６の画面表示指示５ａに応じて、投薬の用法（レシピ）毎の処方薬用法情報５１１の取得要求５ｂをサーバ１００へ送信することによって、処方薬用法情報５１１をサーバ１００から取得する。看護師端末５は、処方薬用法情報５１１を用いて、既存の投薬スケジュールにおいて処方の中止を容易に確認可能なように経過表５１６を表示制御する。
【００１６】
プリンタ９は、例えば、看護師端末５から経過表５１６等の出力指示に応じて、経過表５１６を用紙に印刷した経過表９ａを出力する。
【００１７】
サーバ１００は、医師端末３から受信したオーダ情報３０１を管理し、サーバ記憶部１３０ａは、オーダＤＢ１１２と、カーデックスＤＢ１１４とを有する。サーバ１００は、医師端末３からオーダ情報３０１を受信すると、サーバ記憶部１３０ａのオーダＤＢ１１２を更新すると共に、更新内容から用法毎にデータを分解する等を行って、カーデックスＤＢ１１４に格納する。
【００１８】
オーダＤＢ１１２は、医師端末３から受信したオーダ情報３０１に基づくサーバ管理用のオーダ情報３１を、患者毎に記憶するデータベースである。カーデックスＤＢ１１４は、オーダ情報３０１を分解して得られた用法毎の処方薬用法情報５１１を、患者毎に記憶するデータベースである。
【００１９】
サーバ１００、医師端末３、及び看護師端末５は、コンピュータ装置であり、図２に示すようなハードウェア構成を有する。図２は、コンピュータ装置のハードウェア構成を示す図である。
【００２０】
図２において、コンピュータ装置１０は、コンピュータによって制御される端末であって、ＣＰＵ（Central Processing Unit）１１と、主記憶装置１２と、補助記憶装置１３と、入力装置１４と、表示装置１５と、通信Ｉ／Ｆ（インターフェース）１７と、ドライブ装置１８とを有し、バスＢに接続される。
【００２１】
ＣＰＵ１１は、主記憶装置１２に格納されたプログラムに従ってコンピュータ装置１０を制御する。主記憶装置１２には、ＲＡＭ（Random Access Memory）、ＲＯＭ（Read Only Memory）等が用いられ、ＣＰＵ１１にて実行されるプログラム、ＣＰＵ１１での処理に必要なデータ、ＣＰＵ１１での処理にて得られたデータ等を格納する。また、主記憶装置１２の一部の領域が、ＣＰＵ１１での処理に利用されるワークエリアとして割り付けられている。
【００２２】
補助記憶装置１３には、ハードディスクドライブが用いられ、各種処理を実行するためのプログラム等のデータを格納する。補助記憶装置１３に格納されているプログラムの一部が主記憶装置１２にロードされ、ＣＰＵ１１に実行されることによって、各種処理が実現される。記憶部１３０は、主記憶装置１２及び／又は補助記憶装置１３を有する。
【００２３】
入力装置１４は、マウス、キーボード等を有し、利用者がコンピュータ装置１０による処理に必要な各種情報を入力するために用いられる。表示装置１５は、ＣＰＵ１１の制御のもとに必要な各種情報を表示する。通信Ｉ／Ｆ１７は、例えばインターネット、ＬＡＮ（Local Area Network）等に接続し、外部装置との間の通信制御をするための装置である。通信Ｉ／Ｆ１７による通信は無線又は有線に限定されるものではない。 
コンピュータ装置１０によって行われる処理を実現するプログラムは、例えば、ＣＤ−ＲＯＭ（Compact Disc Read-Only Memory）等の記憶媒体１９によってコンピュータ装置１０に提供される。
【００２４】
ドライブ装置１８は、ドライブ装置１８にセットされた記憶媒体１９（例えば、ＣＤ−ＲＯＭ等）とコンピュータ装置１０とのインターフェースを行う。
【００２５】
また、記憶媒体１９に、後述される本実施の形態に係る種々の処理を実現するプログラムを格納し、この記憶媒体１９に格納されたプログラムは、ドライブ装置１８を介してコンピュータ装置１０にインストールされる。インストールされたプログラムは、コンピュータ装置１０により実行可能となる。
【００２６】
尚、プログラムを格納する媒体としてＣＤ−ＲＯＭに限定するものではなく、コンピュータが読み取り可能な媒体であればよい。コンピュータ読取可能な記憶媒体として、ＣＤ−ＲＯＭの他に、ＤＶＤディスク、ＵＳＢメモリ等の可搬型記録媒体、フラッシュメモリ等の半導体メモリであっても良い。
【００２７】
サーバ１００、医師端末３、及び看護師端末５は、同様のハードウェア構成を有するコンピュータ装置であるが、各々個別のコンピュータ装置である。図２の記憶部１３０に相当するサーバ１００の記憶部をサーバ記憶部１３０ａで示す。また、図２の記憶部１３０に相当する、後述される看護師端末５の記憶部を端末記憶部１３０ｂで示す。
【００２８】
また、以下の説明において、図２に示す各ハードウェア構成部について、サーバ１００では符号末尾にａを付し、ＣＰＵ１１ａ、主記憶装置１２ａ、補助記憶装置１３ａ、入力装置１４ａ、表示装置１５ａ、通信Ｉ／Ｆ１７ａ、ドライブ装置１８ａとする。
【００２９】
また、看護師端末５では符号末尾にｂを付して、ＣＰＵ１１ｂ、主記憶装置１２ｂ、補助記憶装置１３ｂ、入力装置１４ｂ、表示装置１５ｂ、通信Ｉ／Ｆ１７ｂ、ドライブ装置１８ｂとする。
【００３０】
図３は、サーバの機能構成例を示す図である。図３において、サーバ１００は、オーダ受付部１２０と、オーダ分解部１４０と、オーダ情報提供部１６０とを有する。また、サーバ記憶部１３０ａには、オーダＤＢ１１２、カーデックスＤＢ１１４等が記憶される。
【００３１】
オーダ受付部１２０と、オーダ分解部１４０と、オーダ情報提供部１６０とは、サーバ１００のＣＰＵ１１ａが対応するプログラムを実行することによって行われる処理によって実現される。
【００３２】
オーダ受付部１２０は、医師端末３からオーダ情報３０１を受け付ける処理部である。受け付けたオーダ情報３０１は、サーバ管理用のオーダ情報に作成されてサーバ記憶部１３０ａに記憶される。
【００３３】
オーダ分解部１４０は、サーバ記憶部１３０ａに格納されているオーダ情報（後述するオーダ情報３１、３２、３３、３４等）から、処方薬の用法（レシピ）毎の処方薬用法情報５１１を作成して、入院患者毎にカーデックスＤＢ１１４に記憶する。
【００３４】
オーダ情報提供部１６０は、看護師端末５からの処方薬用法情報５１１の取得要求５ｂに応じて、カーデックスＤＢ１１４から該当する処方薬用法情報５１１を看護師端末５に提供する。
【００３５】
図４は、看護師端末の機能構成例を示す図である。図４において、看護師端末５は、経過表作成部５３０を有する。経過表作成部５３０は、ＣＰＵ１１ｂが対応するプログラムを実行することによって行われる処理によって実現され、医師によって指示された処方に応じて投薬対象日についての投薬タイミングを明示する投薬スケジュールをカレンダ表示する制御部に相当する。
【００３６】
また、端末記憶部１３０ｂには、処方薬用法情報５１１、内部テーブル５１２、キー情報５１４、対応テーブル５１５、処方中止マークが付与された経過表５１６等が記憶される。
【００３７】
経過表作成部５３０は、医師による処方中止指示を容易に判断可能にした経過表５１６を作成する。経過表作成部５３０は、更に、処方薬用法情報取得部５３１と、有効日毎分解部５３３ａと分服毎分解部５３３ｂとを有する分解部５３２と、表示対象作成部５３４と、経過表画面表示部５３５とを有する。
【００３８】
処方薬用法情報取得部５３１は、看護師から経過表５１６の画面表示要求に応じて、サーバ１００に処方薬用法情報５１１の取得要求５ｂを送信することによって、サーバ１００から入院患者の処方に関する情報を取得する。取得した処方薬用法情報５１１は、端末記憶部１３０ｂに格納される。
【００３９】
分解部５３２は、経過表５１６の表示単位に基づいて、処方薬用法情報５１１を分解する。処方薬用法情報５１１は、入院患者の入院期間において投薬期間又は投薬日数（４日分又は７日分等）を指定して、処方薬単位で用法を示している。この処方薬用法情報５１１を、投薬期間（４日分又は７日分等）内で、経過表５１６の表示単位で処方薬の用法を示した単位用法情報を作成する。表示単位の処方薬用法を示した単位用法情報が、内部テーブル５１２の１レコードに相当する。
【００４０】
表示単位は、経過表５１６で採用される１日、又は、１日を細分化した時間帯が好ましいが、これらに限定されない。
【００４１】
内部テーブル５１２は、有効日毎の第１内部テーブル５１３ａと、服用タイミング毎の第２内部テーブル５１３ｂとを有する。
【００４２】
有効日毎分解部５３３ａは、端末記憶部１３０ｂに格納された処方薬用法情報５１１を有効日毎に分解して、第１内部テーブル５１３ａを作成する。即ち、有効日毎の処方薬の用法を示す単位用法情報が作成される。有効日毎の単位用法情報が第１内部テーブル５１３ａの１レコードに相当する。作成された第１内部テーブル５１３ａは、端末記憶部１３０ｂに格納される。
【００４３】
有効日とは、投薬開始日から、その投薬開始日に処方薬用法情報５１１で指定される投薬日数（４日分又は７日分等）を加算した投薬終了日までにおいて、投薬される各日を言う。
【００４４】
分服毎分解部５３３ｂは、１日量が分服で示される場合、有効日において服用タイミング毎に、有効日毎に分解した第１内部テーブル５１３ａを更に分解して、第２内部テーブル５１３ｂを作成する。即ち、服用タイミング毎に処方薬を示した単位用法情報が作成される。服用タイミング毎の単位用法情報が第２内部テーブル５１３ｂの１レコードに相当する。作成された第２内部テーブル５１３ｂは、端末記憶部１３０ｂに格納される。
【００４５】
表示対象作成部５３４は、画面表示用又は印刷出力用の経過表５１６の作成時に処理対象となる単位用法情報を特定する。
【００４６】
即ち、有効日において１日単位で経過表５１６を作成する場合、表示対象作成部５３４は、先ず、第１内部テーブル５１３ａから、から表示対象となるレコード（単位用法情報）を特定したキー情報５１４を作成する。次に、表示対象作成部５３４は、キー情報５１４に基づいて特定したレコード（単位用法情報）を用いて第１内部テーブル５１３ａを参照し、医師により処方中止指示又は飲み切り終了指示の箇所に、各指示固有のマークを付与した対応テーブル５１５を作成する。
【００４７】
有効日において定められた時間帯毎で経過表５１６を作成する場合、表示対象作成部５３４は、先ず、第２内部テーブル５１３ｂから表示対象となるレコード（単位用法情報）を特定したキー情報５１４を作成する。次に、表示対象作成部５３４は、キー情報５１４に基づいて特定したレコード（単位用法情報）を用いて第２内部テーブル５１３ｂを参照し、医師により処方中止指示又は飲み切り終了指示の箇所に、各指示固有のマークを付与した対応テーブル５１５を作成する。
【００４８】
表示対象作成部５３４は、１日単位及び時間単位の２つの対応テーブル５１５を作成しておいても良い。又は、看護師等の利用者の表示単位の指示を契機に、表示単位に相当する対応テーブル５１５を作成してもよい。
【００４９】
経過表画面表示部５３５は、対応テーブル５１５に基づいて、内部テーブル５１３ａから必要な情報を取得して、経過表５１６を作成し、表示装置１５ｂに表示する。
【００５０】
次に、本実施例における処理例について説明する。
（基本ケース）新たに処方された新規オーダ（初期オーダ）の場合
（処方中止ケース）既存オーダに対する処方中止オーダが存在する場合
（飲み切り終了ケース）既存オーダに対する飲み切り終了オーダが存在する場合
の夫々で説明する。
【００５１】
先ず、基本ケースについて、図５から図１２で説明する。医師端末３で医師が発行したオーダ情報３０１に基づいて、サーバ１００のオーダＤＢ１１２に格納されるサーバ管理用のオーダ情報の例について説明する。図５は、基本ケースのオーダ情報例を示す図である。図５に例示されるオーダ情報３１は、患者ＩＤ３１ａ、文書番号３１ｂ、オーダ番号３１ｃ、開始予定日時３１ｄ、用法一覧３１ｅ等の表示項目を有する。
【００５２】
患者ＩＤ３１ａは、患者を一意に特定する識別番号を示す。文書番号３１ｂは、患者の診療を記録した文書の番号を特定する番号を示す。オーダ番号３１ｃは、患者に対して医師が行った指示毎に付与された番号である。開始予定日時３１ｄは、オーダの指示を開始する予定日時を示す。用法一覧３１ｅは、一発行で指示した処方薬及び用法を、処方薬毎に示す。
【００５３】
図５の例では、医師により、患者ＩＤ「２０１１０」、文書番号「０Ａ０１」、オーダ番号「２４６４」、開始予定日時「2013/09/02 昼」が指定されている。また、この入院患者に対して、用法一覧３１ｅに処方薬及び用法が指示されている。医師により、３種類の薬が処方され、処方薬毎に用法が指定されている。各処方薬の用法は、ＲＰ１、ＲＰ２、及びＲＰ３で識別される。
【００５４】
用法ＲＰ１は、「エースコール錠２ｍｇ  ３錠  １日３回  朝・昼・夕食後  ７日分」であり、用法コード「Y10301」が対応付けられている。用法ＲＰ２は、「コバシル錠２ｍｇ  ３錠  １日３回  朝・昼・夕食後  ７日分」であり、用法コード「Y10301」が対応付けられている。用法ＲＰ３は、「タナトリ錠１０ｍｇ  ２錠  １日２回朝・昼・夕食後  ７日分」であり、用法コード「Y10307」が対応付けられている。用法コードは、処方薬の投薬タイミングを指定するコードである。以下、用法ＲＰ１、ＲＰ２、ＲＰ３等を総称して用法ＲＰと言う。
【００５５】
医師端末３は、医師によって指示された内容に基づいてオーダ情報３０１を作成して、医師端末３からサーバ１００へ送信する。サーバ１００のオーダ受付部１２０は、医師端末３から受信したオーダ情報３１に基づいて、サーバ管理用のオーダ情報３１をサーバ記憶部１３０ａのオーダＤＢ１１２に追加して記憶する。
【００５６】
また、サーバ１００のオーダ分解部１４０は、オーダＤＢ１１２に追加したオーダ情報３１を用法ＲＰ毎の情報に分解して処方薬用法情報５１１を作成し、カーデックスＤＢ１１４に記憶する。処方薬用法情報５１１を作成する際には、サーバ１００内の他の管理情報を参照して取得した名称、コード等の情報が処方薬用法情報５１１に付加される。
【００５７】
図６は、基本ケースの処方薬用法情報のデータ例を示す図である。図６に例示される処方薬用法情報５１１は、患者ＩＤ、文書番号、伝票名、レコード種別、ＲＰ番号、処方薬、開始日時、終了日時、オーダ番号、関連オーダ番号、用法コード、予備領域（変更フラグ）、予備領域（並び準）等の項目を有する。処方薬用法情報５１１は、看護師端末５から指定した入院患者の処方薬の用法毎に存在する。
【００５８】
図６に示す処方薬用法情報５１１は、サーバ１００のカーデックスＤＢ１１４内の処方薬用法情報５１１のうち、患者ＩＤ及び入院開始日等の看護師が指定した情報より抽出された一部分である。従って、サーバ１００でも、カーデックスＤＢ１１４によって、同様のデータ構成で入院患者毎の処方薬用法情報５１１を管理している。
【００５９】
患者ＩＤは、患者を一意に特定する識別番号を示し、オーダ情報３１で医師が指定した患者ＩＤ３１ａを示す。文書番号は、オーダ情報３１で医師が指定した文書番号３１ｂを示す。伝票名は、医師がオーダを発行する際に選択した伝票名を示す。例えば、「入院処方」、「処方中止指示」、「飲み切り終了指示」等が伝票名で示される。
【００６０】
レコード種別は、経過表５１６の表示単位を選択的に提供可能な場合、即ち、２以上の表示単位を有する場合、レコードがどの表示単位かを指定する。例えば、１日を表示単位とする場合は「ＩＸ」で示し、一日の時間帯を表示単位とする場合は「ＩＹ」を示す。ＲＰ番号は、処方薬に対する用法を特定する番号を示す。図５のオーダ情報３１の例の場合、ＲＰの番号「１」、「２」、「３」のいずれかが示される。
【００６１】
処方薬は、医師が指定した薬名と１日の処方量とを示す。図５のオーダ情報３１の場合、ＲＰ番号「１」に対応付けて「エースコール錠２ｍｇ  ３錠」が示され、ＲＰ番号「２」に対応付けて「コバシル錠２ｍｇ  ３錠」が示され、ＲＰ番号「３」に対応付けて「タナトリル錠１０ｍｇ  ２錠」が示される。
【００６２】
開始日時は、医師が指定した開始予定日時を示す。終了日時は、開始日時から用法で指定される処方期間を加算した日時を示す。図５のオーダ情報３１の開始予定日時３１ｄが開始日時に示され、終了日時に用法一覧３１ｅの各用法ＲＰで指定される処方期間「７日分」に基づいて計算された日時が終了日時に示される。
【００６３】
オーダ番号は、新たに処方された新規オーダの識別番号を示す。関連オーダ番号は、新規オーダに対して、処方中止指示又は飲み切り終了指示等の変更が指示された場合に設定される番号であり、関連オーダとして親オーダである新規オーダのオーダ番号を示す。
【００６４】
用法コードは、処方薬の投薬タイミングを指定するコードである。用法コード「Y10301」は、「１日３回  朝・昼・夕食後」を示し、用法コード「Y10307」は、「１日２回朝・夕食後」を示す。
【００６５】
予備領域（変更フラグ）は、処方の変更であるのか否かを示す。処方の変更である場合、「１」を示し、そうでない場合（即ち、新規オーダに関するレコードの場合）、「０」を示す。医師によって図５のオーダ情報３１で新たに処方が発行された場合、新たな処方に関するレコードは「０」を示す。
【００６６】
予備領域（並び準）は、経過表５１６での処方薬の表示順を示す。予備領域（並び準）のデータ例では、ＲＰ１は表示順「2000」であり、ＲＰ２は表示順「2001」であり、ＲＰ３は表示順「2002」である。表示順の最大桁は、システムの便宜上、適宜付与される分類番号であり、最小桁から表示順が定められる。従って、ＲＰ１、ＲＰ２、ＲＰ３の表示順となる。
【００６７】
図７は、基本ケースの第１内部テーブルのデータ例を示す図である。図７に例示する第１内部テーブル５１３ａは、患者ＩＤ、文書番号、伝票名、レコード種別、ＲＰ番号、開始日時、終了日時、オーダ番号、関連オーダ番号、用法コード、予備領域（変更）、予備領域（並び準）等の項目を有する。これら項目は、図６の処方薬用法情報５１１と同様であるので、各項目の説明を省略する。
【００６８】
図７を参照して、基本ケースにおける、看護師端末５における経過表作成部５３０の分解部５３２の有効日毎分解部５３３ａの有効日毎分解処理の例について説明する。有効日毎分解部５３３ａは、サーバ１００から取得した処方薬用法情報５１１（図６）のうち、レコード種別「ＩＲ」を処理対象とする。又は、レコード種別「ＩＲ」を示す処方薬用法情報５１１のみを取得するようにしても良い。開始日時と終了日時とから有効日数を取得して、処方薬用法情報５１１を有効日数分の日毎の単位用法情報７ａに分解する。
【００６９】
図７では、患者ＩＤ「20110」の入院患者に対して取得したレコード種別「ＩＲ」を示す処方薬用法情報５１１（図６）に基づいて、用法（ＲＰ）毎に、有効日数分（８レコード分）の日毎の単位用法情報７ａに分解した例を示している。
【００７０】
図６のＲＰ番号「１」の１つのレコードに対して、開始日時「2013/9/2昼」から終了日時「2013/9/9昼」までに基づいて、有効日数「８日」を得る。開始日時「2013/9/2」を最初のレコードとしてレコードの作成を開始し、次のレコードから、開始日時の日を１インクリメントして全８レコードを作成する。そして、日毎の単位用法情報７ａの作成であるため、レコード種別を、日毎を示す「ＩＸ」に書き換えて、ＲＰ番号「１」に対する日毎の分解処理を終了する。
【００７１】
同様に、図６のＲＰ番号「２」及び「３」についても全８レコードを作成する。このようにして、患者ＩＤ「20110」の入院患者の第１の内部テーブル５１３ａが作成され、端末記憶部１３０ｂに格納される。
【００７２】
図８は、基本ケースの第２内部テーブルのデータ例を示す図である。図８に例示する第２内部テーブル５１３ｂは、患者ＩＤ、文書番号、伝票名、レコード種別、ＲＰ番号、開始日時、終了日時、オーダ番号、関連オーダ番号、用法コード、予備領域（変更）、予備領域（並び準）等の項目を有する。これら項目は、図６の処方薬用法情報５１１と同様であるので、各項目の説明を省略する。
【００７３】
図８を参照して、基本ケースにおける、看護師端末５における経過表作成部５３０の分解部５３２の分服毎分解部５３３ｂの分服毎分解処理の例について説明する。分服毎分解部５３３ｂは、有効日毎分解部５３３ａが作成した第１内部テーブル５１３ａに対して、更に、用法コードに従って、分服毎の単位用法情報７ａ−２に分解し、分解したレコードを追加する。
【００７４】
図８では、患者ＩＤ「20110」の入院患者の第１内部テーブル５３１ａを用いて、レコード種別「ＩＸ」の各レコードに対して、用法コードに基づいて、分服毎の単位用法情報７ａ−２に分解した例を示している。以下の例では、分服の時間帯を簡潔に朝、昼、夜で示しているが、例えば、朝食後であれば「083000」（８：３０）、昼食後であれば「123000」（１２：３０）、夕食後であれば「183000」（１８：３０）のように、時刻を指定して記憶するようにしても良い。
【００７５】
図７のＲＰ番号「１」の開始日時「2013/9/2」に対して、「１日３回  朝・昼・夕食後」を示す用法コード「Y10301」に従って、開始日時「2013/9/2 昼」と「2013/9/2 夜」の２レコードを追加し、レコード種別に分服毎を示す「ＩＹ」を設定する。ＲＰ番号「１」の開始日時「2013/9/2」については、処方薬用法情報５１１（図６）の開始日時が「2013/9/2 昼」を示すため、「2013/9/2 朝」のレコードは作成されない。「2013/9/2 朝」のレコード作成は抑止される。
【００７６】
また、ＲＰ番号「１」の開始日時「2013/9/3」に対して、「１日３回  朝・昼・夕食後」を示す用法コード「Y10301」に従って、開始日時「2013/9/3 朝」、「2013/9/3 昼」、及び「2013/9/3 夜」の３レコードを追加し、レコード種別に分服毎を示す「ＩＹ」を設定する。
【００７７】
同様に、ＲＰ番号「１」の開始日時「2013/9/4」、「2013/9/5」、「2013/9/6」、「2013/9/7」、「2013/9/8」に対して、「１日３回  朝・昼・夕食後」を示す用法コード「Y10301」に従って、３レコードずつ追加し、レコード種別に分服毎を示す「ＩＹ」を設定する。
【００７８】
更に、ＲＰ番号「１」の開始日時「2013/9/9」に対して、「１日３回  朝・昼・夕食後」を示す用法コード「Y10301」に従って、開始日時「2013/9/9 朝」のみ１レコードを追加し、レコード種別に分服毎を示す「ＩＹ」を設定する。
【００７９】
ＲＰ番号「１」の開始日時「2013/9/9」については、処方薬用法情報５１１（図６）の終了日時が「2013/9/9 昼」を示すため、「2013/9/9 昼」からは処方薬の服用はない。従って、開始日時「2013/9/9 朝」のみ１レコードを作成して、「2013/9/9 昼」及び「2013/9/9 夜」のレコードは作成されない。「2013/9/9 昼」及び「2013/9/9 夜」のレコード作成は抑止される。ＲＰ番号「１」に対する分服毎分解処理を終了し、次の処方薬に対して分服毎分解処理を行う。
【００８０】
次の処方薬であるＲＰ番号「２」（図７）の用法コードは「Y10301」であり、ＲＰ番号「１」と同様の「１日３回  朝・昼・夕食後」を示している。従って、上述したＲＰ番号「１」と同様の分服毎分解処理を行う。ＲＰ番号「１」に対する分服毎分解処理の終了後、次の処方薬に対して分服毎分解処理を行う。
【００８１】
次の処方薬であるＲＰ番号「３」（図７）の用法コードは「１日２回朝・夕食後」を示す「Y10307」である。ＲＰ番号「３」の開始日時「2013/9/2」に対して、「１日２回朝・夕食後」を示す「Y10307」に従って、開始日時「2013/9/2 夕」のみ１レコードを追加し、レコード種別に分服毎を示す「ＩＹ」を設定する。ＲＰ番号「３」の開始日時「2013/9/2」については、処方薬用法情報５１１（図６）の開始日時が「2013/9/2 昼」を示すため、「2013/9/2 朝」及び「2013/9/2 昼」のレコードは作成されない。「2013/9/2 朝」及び「2013/9/2 昼」のレコード作成は抑止される。
【００８２】
また、ＲＰ番号「３」の開始日時「2013/9/3」に対して、「１日３回  朝・昼・夕食後」を示す用法コード「Y10307」に従って、開始日時「2013/9/3 朝」及び「2013/9/3 夜」の２レコードを追加し、レコード種別に分服毎を示す「ＩＹ」を設定する。
【００８３】
同様に、ＲＰ番号「３」の開始日時「2013/9/4」、「2013/9/5」、「2013/9/6」、「2013/9/7」、「2013/9/8」に対して、「１日２回朝・夕食後」を示す用法コード「Y10307」に従って、２レコードずつ追加し、レコード種別に分服毎を示す「ＩＹ」を設定する。
【００８４】
更に、ＲＰ番号「３」の開始日時「2013/9/9」に対して、「１日２回朝・夕食後」を示す用法コード「Y10307」に従って、開始日時「2013/9/9 朝」のみ１レコードを追加し、レコード種別に分服毎を示す「ＩＹ」を設定する。
【００８５】
ＲＰ番号「３」の開始日時「2013/9/9」については、処方薬用法情報５１１（図６）の終了日時が「2013/9/9 昼」を示すため、「2013/9/9 昼」からは処方薬の服用はない。従って、開始日時「2013/9/9 朝」のみ１レコードを作成して、「2013/9/9 夜」のレコードは作成されない。「2013/9/9 夜」のレコード作成は抑止される。ＲＰ番号「３」に対する分服毎分解処理を終了する。次の処方薬は無いため、分服毎分解部５３３ｂによる分服毎分解処理は終了となる。
【００８６】
このようにして作成された第２内部テーブル５１３ｂは、端末記憶部１３０ｂに記憶される。
【００８７】
次に、看護師端末５の経過表作成部５３０の表示対象作成部５３４による表示対象作成処理で作成されるキー情報５１４及び対応テーブル５１５について説明する。図９は、基本ケースのキー情報のデータ例を示す図である。図９に示すキー情報５１４は、表示対象作成部５３４によって、端末記憶部１３０ｂに格納されている伝票名「入院処方」の処方薬用法情報５１１に基づいて作成され、用法（ＲＰ）毎に、「予備領域（並び順）／用法コード／関連オーダ番号／オーダ番号／ＲＰ番号」を示す。
【００８８】
図６の処方薬用法情報５１１に基づいて作成されたキー情報５１４によって、経過表５１６に表示する際の、処方薬の並び順と、処方薬に対する用法とが特定される。予め決められた並び順で経過表５１６を作成するために、表示対象作成部５３４は、作成したキー情報５１４を予備領域（並び順）でソートする。
【００８９】
図９の例では、ソートした１行目（経過表５１６の１番目の処方）には、「2000／Y10301／    ／4264／1」が指定される。また、２行目（経過表５１６の２番目の処方）には、「2001／Y10301／    ／4264／2」が指定される。更に、３行目（経過表５１６の３番目の処方）には、「2002／Y10307／    ／4264／3」が指定される。このようなキー情報５１４の順に従って、経過表５１６が作成される。
【００９０】
基本ケースの経過表５１６を作成する際に参照される対応テーブル５１５について説明する。図１０は、基本ケースの日毎の対応テーブルのデータ例を示す図である。図１０に示される日毎の対応テーブル５１５ａは、看護師端末５の経過表作成部５３０の表示対象作成部５３４が、キー情報５１４を用いて第２内容テーブル５１３ｂのレコード種別「ＩＸ」のレコードを参照することによって作成したテーブルである。
【００９１】
日毎の対応テーブル５１５ａは、キー情報５１４と日付とのマトリックステーブルであり、処方薬の有無を示す。処方薬有りの場合、「○」マーク（処方薬有りマーク「○」）が設定され、処方薬無しの場合、マークは設定されず空欄となる。
【００９２】
表示対象作成部５３４は、看護師等の利用者によって指定された画面表示期間に基づいて、経過表５１６の横軸の日付（月日）を求め、日毎の対応テーブル５１５ａに設定する。また、表示対象作成部５３４は、キー情報５１４（図９）を用いて第２内容テーブル５１３ｂのレコード種別「ＩＸ」のレコードを参照して、対応テーブル５１５ａにおいて、キー情報５１４と開始日時が一致する日付とに対応する枠に、処方薬有りマーク「○」を設定する。
【００９３】
図１０では、画面表示期間「９月２日」〜「９月９日」が指定された場合の例を示し、日毎の月日が設定されている。また、用法毎の「2000／Y10301／    ／4264／1」（用法ＲＰ１）、「2001／Y10301／    ／4264／2」（用法ＲＰ２）、「2001／Y10301／    ／4264／3」（用法ＲＰ３）の全てに対して、全ての日付で処方薬有りが示されている。
【００９４】
経過表画面表示部５３５は、上述した図１０に例示する日毎の対応テーブル５１５ａと処方薬用法情報５１１とを用いて、経過表５１６を作成する。経過表画面表示部５３５は、必要に応じて、サーバ１００から更に情報を取得してもよい。この基本ケース、処方中止マークは付与されない。
【００９５】
図１１は、基本ケースの時間枠毎の対応テーブルのデータ例を示す図である。図１１に示される時間枠毎の対応テーブル５１５ｂは、看護師端末５の経過表作成部５３０の表示対象作成部５３４が、キー情報５１４を用いて第２内容テーブル５１３ｂのレコード種別「ＩＹ」のレコードを参照することによって作成したテーブルである。
【００９６】
時間枠毎の対応テーブル５１５ｂは、キー情報５１４と日付とのマトリックステーブルであり、処方薬の有無を示す。処方薬有りの場合、処方薬有りマーク「○」が設定され、処方薬無しの場合、マークは設定されず空欄となる。
【００９７】
表示対象作成部５３４は、看護師等の利用者によって指定された画面表示期間に基づいて、経過表５１６の横軸の日付（月日）を求め、時間枠毎の対応テーブル５１５ｂに設定する。この例では、時間枠は、４時間毎であるが、それ以下でもそれ以上であってもよく４時間に限定されない。
【００９８】
また、表示対象作成部５３４は、キー情報５１４を用いて第２内容テーブル５１３ｂのレコード種別「ＩＹ」のレコードを参照して、対応テーブル５１５ｂにおいて、キー情報５１４と開始日時が一致する日付であり、且つ、内服タイミングに対応する時間枠に、処方薬有りマーク「○」を設定する。
【００９９】
図１１では、画面表示期間「2013/09/2」〜「2013/09/4」が指定された場合の時間枠毎の例を示し、時間枠毎の月日及び時間が設定されている。「9/2 0:00」から４時間毎に「9/4 20:00」までが示される。
【０１００】
用法毎のＲＰ１及びＲＰ２に対して、この画面表示期間のうち、「9/2 8:00」、「9/2 12:00」、「9/2 16:00」、「9/3 8:00」、「9/3 12:00」、「9/3 16:00」、及び「9/4 8:00」の時間枠で処方薬有りが示されている。投薬は、「2013/9/2 昼」からの開始であるため、９月２日の午前の時間枠「9/2 0:00」及び「9/2 4:00」には処方薬有りマーク「○」の設定がなく、空欄のままである。また、他の時間枠及び日付において、用法コード「Y10301」の「１日３回  朝・昼・夕食後」に該当しない時間枠「0:00」、「4:00」、「20:00」、及び「24:00」も、処方薬有りマーク「○」の設定がなく空欄のままである。
【０１０１】
ＲＰ３に対しては、この画面表示期間のうち、「9/2 16:00」、「9/3 8:00」、「9/3 16:00」、及び「9/4 8:00」の時間枠で処方薬有りが示されている。
【０１０２】
経過表画面表示部５３５は、上述した図１１に例示する時間枠毎の対応テーブル５１５ｂと処方薬用法情報５１１とを用いて、経過表５１６を作成する。経過表画面表示部５３５は、必要に応じて、サーバ１００から更に情報を取得してもよい。この基本ケースでは、処方中止マークは付与されない。
【０１０３】
図１１の対応テーブル５１５ｂに基づく時間枠毎の経過表５１６の表示後に、利用者が画面表示期間を「2013/09/8」〜「2013/09/10」に変更した場合について、図１２で説明する。図１２は、基本ケースで、画面表示期間を変更したときの時間枠毎の対応テーブルのデータ例を示す図である。図１２に示される時間枠毎の対応テーブル５１５ｂは、図１１のデータ構成と同様であるので、構成の説明を省略する。
【０１０４】
図１２では、画面表示期間「2013/09/8」〜「2013/09/10」の指定に応じて作成された対応テーブル５１５ｂのデータ例を示している。
【０１０５】
用法毎のＲＰ１及びＲＰ２の日付「09/8」の時間枠「0:00」、「4:00」、「20:00」、及び「24:00」は、用法コード「Y10301」の「１日３回  朝・昼・夕食後」に該当しないため、処方薬有りマーク「○」の設定がなく空欄である。
【０１０６】
また、ＲＰ１及びＲＰ２の日付「09/09」では、時間枠「8:00」以外は全て空欄のままである。特に、終了日時「2013/09/09 昼」（図６）までの処方であるため、最後の投薬は「2013/09/09 朝」である。従って、「2013/09/09 昼」以降に相当する「12:00」、「16:00」、「20:00」、「24:00」、及び日付「09/10」の全時間枠が空欄となる。
【０１０７】
ＲＰ３の日付「09/8」の時間枠「0:00」、「4:00」、「12:00」、「20:00」、及び「24:00」は、用法コード「Y10307」の「１日２回朝・夕食後」に該当しないため、処方薬有りマーク「○」の設定がなく空欄である。
【０１０８】
また、ＲＰ３の日付「09/09」では、時間枠「8:00」以外は全て空欄のままである。特に、終了日時「2013/09/09 昼」（図６）までの処方であるため、最後の投薬は「2013/09/09 朝」である。従って、「2013/09/09 昼」以降に相当する「12:00」、「16:00」、「20:00」、「24:00」、及び日付「09/10」の全時間枠が空欄となる。
【０１０９】
次に、処方中止ケースについて、図１３から図２２で説明する。図１３は、処方中止ケースのオーダ情報例を示す図である。図１３に例示されるオーダ情報３２は、オーダ情報３１で医師が指示した処方薬に対して処方中止指示を行った場合のオーダ情報例を示している。
【０１１０】
オーダ情報３２は、患者ＩＤ３２ａ、文書番号３２ｂ、オーダ番号３２ｃ、関連オーダ番号３２ｃ−２、開始予定日時３２ｄ、処方中止対象用法３２ｅ等の表示項目を有する。患者ＩＤ３２ａ、文書番号３２ｂ、オーダ番号３２ｃ、開始予定日時３２ｄは、オーダ情報３１と同様であるのでその説明を省略する。
【０１１１】
関連オーダ番号３２ｃ−２は、処方中止対象の用法（ＲＰ）を初期に指示した際の新規オーダの番号を示す。処方中止対象用法３２ｅは、新規オーダ時の用法を特定する。処方中止対象用法３２ｅには、対象用法内容３２ｆと中止指示内容３２ｇが示される。関連オーダ番号３２ｃ−２及び処方中止対象用法３２ｅは、医師によって指定される。
【０１１２】
図１３の例では、関連オーダ番号「４２６５」によって、対象となる既存オーダを特定している。処方中止対象用法３２ｅの対象用法内容３２ｆには、「コバシル錠２ｍｇ  ３錠  １日３回  朝・昼・夕食後  ７日分」が示され、中止指示内容３２ｇには、「処方中止  9/4  昼食後」が示されている。対象用法内容３２ｆは、オーダ情報３１の用法一覧３１ｅ内の用法ＲＰ２の内容と同一である。
【０１１３】
医師端末３は、医師による処方中止指示を示すオーダ情報３０１を作成して、医師端末３からサーバ１００へ送信する。サーバ１００のオーダ受付部１２０は、医師端末３から受信したオーダ情報３０１から、サーバ管理用の処方中止指示に係るオーダ情報３２作成して、サーバ記憶部１３０ａのオーダＤＢ１１２に追加して記憶する。
【０１１４】
また、サーバ１００のオーダ分解部１４０は、オーダＤＢ１１２に追加したオーダ情報３２を用法ＲＰ毎の情報に分解して処方薬用法情報５１１ｃ（図１４（Ａ））を作成し、カーデックスＤＢ１１４に追加して記憶する。処方薬用法情報５１１ｃを作成する際には、サーバ１００内の他の管理情報を参照して取得した名称、コード等の情報が処方薬用法情報５１１に付加される。
【０１１５】
図１４は、処方中止ケースの処方薬用法情報のデータ例を示す図である。図１４（Ａ）では、医師が初期に指示した用法を示すオーダ情報３１（図５）に基づいて作成された処方薬用法情報５１１に、医師による処方中止指示を示すオーダ情報３２（図１３）に基づいて作成された処方薬用法情報５１１ｃが、カーデックスＤＢ１１４に追加された状態を示している。開始日時及び終了日時は、同一の日時「2013/9/4 昼」を示すように、処方薬用法情報５１１ｃは作成される。
【０１１６】
サーバ１００のオーダ分解部１４０は、処方中止指示を示す処方薬用法情報５１１ｃに基づいて、関連オーダ「４２６４」と一致するオーダ番号のレコードのうち、ＲＰ番号「２」のレコードの終了日時を、処方薬用法情報５１１ｃの終了日時「2013/9/4 昼」で書き換える。このようにして処方中止対象の用法（ＲＰ）が変更される。
【０１１７】
図１４（Ｂ）は、処方中止対象の用法（ＲＰ）が変更された状態を示している。オーダ番号「４２６４」のレコードのうち、ＲＰ番号「２」のレコードの終了日時「2013/9/9 昼」が「2013/9/4 昼」に変更されている。「2013/9/4 昼」は、処方薬用法情報５１１ｃで指定された終了日時である。
【０１１８】
看護師端末５からの入院患者の患者ＩＤ等を指定した処方薬用法情報５１１の取得要求５ｂに応じて、サーバ１００は、図１４（Ｂ）で示される処方薬用法情報５１１及び処方薬用法情報５１１ｃを看護師端末５へ提供する。
【０１１９】
図１５は、処方中止ケースの第１内部テーブルのデータ例を示す図である。図１５に例示する第１内部テーブル５１３ａ−２は、図７の第１内部テーブル５１３ａと同様の項目を有する。これら項目は、図６の処方薬用法情報５１１と同様であるので、各項目の説明を省略する。
【０１２０】
図１５を参照して、処方中止ケースにおける、看護師端末５における経過表作成部５３０の分解部５３２の有効日毎分解部５３３ａの有効日毎分解処理の例について説明する。有効日毎分解部５３３ａは、レコード種別「ＩＲ」を示す処方薬用法情報５１１及び処方薬用法情報５１１ｃを処理対象とする。開始日時と終了日時とから有効日数を取得して、処方薬用法情報５１１を有効日数分の日毎の単位用法情報７ａに分解する。
【０１２１】
図１５では、患者ＩＤ「20110」の入院患者に対して取得したレコード種別「ＩＲ」を示す処方薬用法情報５１１（図１４（Ａ））に基づいて、用法（ＲＰ）毎に、有効日数分（８又は３レコード分）の日毎の単位用法情報７ａに分解した例を示している。
【０１２２】
図１４（Ａ）のＲＰ番号「１」に対して、有効日毎分解部５３３ａは、基本ケースと同様に、有効日数「８日」分の日毎の単位用法情報７ａを作成し、レコード種別を、日毎を示す「ＩＸ」に書き換える。
【０１２３】
一方、図１４（Ａ）のＲＰ番号「２」に対して、有効日毎分解部５３３ａは、終了日時が「2013/9/4 昼」に変更されているため、有効日数は「３日」となる。従って、有効日毎分解部５３３ａは、「３日」分の日毎の単位用法情報７ａを作成し、レコード種別を、日毎を示す「ＩＸ」に書き換える。
【０１２４】
また、図１４のＲＰ番号「３」に対しては、有効日毎分解部５３３ａは、基本ケースと同様に、有効日数「８日」分の日毎の単位用法情報７ａを作成し、レコード種別を、日毎を示す「ＩＸ」に書き換える。
【０１２５】
更に、有効日毎分解部５３３ａは、図１４の処方薬用法情報５１１ｃに基づいて、単位用法情報７ｃを作成し、レコード種別を、日毎を示す「ＩＸ」に書き換える。
【０１２６】
このようにして作成された第１内部テーブル５１３ａ−２は、端末記憶部１３０ｂに格納される。
【０１２７】
図１６から図１８は、処方中止ケースの第２内部テーブルのデータ例を示す図である。図１６から図１８で、処方中止ケースの第２内部テーブル５１３ｂ−２の全体を示す。図１６から図１８に例示する第２内部テーブル５１３ｂ−２は、図８の基本ケースの第２内部テーブル５１３ｂと同様の項目を有し、これら項目の説明を省略する。
【０１２８】
図１６から図１８を参照して、処方中止ケースにおける、看護師端末５における経過表作成部５３０の分解部５３２の分服毎分解部５３３ｂによる分服毎分解処理は、図８を参照して説明した基本ケースと同様であるので、詳細な説明は省略する。
【０１２９】
分服毎分解部５３３ｂは有効日毎分解部５３３ａが作成した第１内部テーブル５１３ａ−２（図１５）に対して、更に、用法コードに従って、分服毎の単位用法情報７ａ−２に分解し、分解したレコードを追加する。
【０１３０】
図１６では、患者ＩＤ「20110」の入院患者の第１内部テーブル５３１ａ−２を用いて、レコード種別「ＩＸ」のＲＰ番号「１」の各レコードに対して、用法コードに基づいて、分服毎の単位用法情報７ａ−２に分解した例を示している。
【０１３１】
図１７では、患者ＩＤ「20110」の入院患者の第１内部テーブル５３１ａ−２を用いて、レコード種別「ＩＸ」のＲＰ番号「２」の各レコードに対して、用法コードに基づいて、分服毎の単位用法情報７ａ−２に分解した例を示している。
【０１３２】
図１８では、患者ＩＤ「20110」の入院患者の第１内部テーブル５３１ａ−２を用いて、レコード種別「ＩＸ」のＲＰ番号「３」の各レコードに対して、用法コードに基づいて、分服毎の単位用法情報７ａ−２に分解した例を示している。
【０１３３】
また、レコード種別「ＩＸ」のＲＰ番号「３」かつ伝票名「処方中止指示」のレコード（単位用法情報７ｃ）に対して、開始日時に処方中止タイミングを設定した単位用法情報７ｃ−２が作成される。即ち、処方薬用法情報５１１ｃ（図１４）に基づいて、開始日時に「2013/9/4 昼」が設定された単位用法情報７ｃ−２が作成される。
【０１３４】
処方中止ケースのキー情報５１４は、端末記憶部１３０ｂに格納されている伝票名「入院処方」の処方薬用法情報５１１に基づいて作成され、その作成方法は、上述した基本ケース（図９）と同様であるため説明を省略する。
【０１３５】
処方中止ケースの経過表５１６を作成する際に参照される対応テーブル５１５ａ−２について説明する。図１９は、処方中止ケースの日毎の対応テーブルのデータ例を示す図である。図１９に示される日毎の対応テーブル５１５ａ−２は、看護師端末５の経過表作成部５３０の表示対象作成部５３４が、キー情報５１４を用いて第２内容テーブル５１３ｂ−２のレコード種別「ＩＸ」のレコードを参照することによって作成したテーブルである。
【０１３６】
日毎の対応テーブル５１５ａ−２は、基本ケースの日毎の対応テーブル５１５ａ−２（図１５）と同様に、キー情報５１４と日付とのマトリックステーブルであり、処方薬の有無を示す。処方薬有りの場合、処方薬有りマーク「○」が設定され、処方薬無しの場合、マークは設定されず空欄となる。
【０１３７】
表示対象作成部５３４は、看護師等の利用者によって指定された画面表示期間に基づいて、経過表５１６の横軸の日付（月日）を求め、日毎の対応テーブル５１５ａ−２に設定する。また、表示対象作成部５３４は、キー情報５１４（図９）を用いて第１内容テーブル５１３ａ−２（レコード種別「ＩＸ」のレコード）参照して、対応テーブル５１５ａ−２において、キー情報５１４と開始日時が一致する日付とに対応する枠に、処方薬有りマーク「○」を設定する。
【０１３８】
また、キー情報５１４（図９）を用いて第１内容テーブル５１３ａ−２（図１５）（レコード種別「ＩＸ」のレコード）を参照して、伝票名「処方中止指示」のレコード（単位用法情報７ｃ）が存在する場合、表示対象作成部５３４は、日毎の対応テーブル５１５ａ−２において、当該レコード（単位用法情報７ｃ）のＲＰ番号と開始日時とに対応する枠に、処方中止マーク「●」を付与する。
【０１３９】
図１９の例では、用法ＲＰ１については、全て処方薬有りマーク「○」が付与されて、基本ケース（図１０）と同様である。
【０１４０】
用法ＲＰ２については、日付「９月４日」の枠に処方中止マーク「●」が、処方薬有りマーク「○」に加えて付与されている。日付「９月５日」以降は全て空欄である。
【０１４１】
また、用法ＲＰ３については、全て処方薬有りマーク「○」が付与されて、基本ケース（図１０）と同様である。
【０１４２】
経過表画面表示部５３５は、上述した図１９に例示する日毎の対応テーブル５１５ａ−２と処方薬用法情報５１１及び５１１ｃとを用いて、経過表５１６を作成する。経過表画面表示部５３５は、必要に応じて、サーバ１００から更に情報を取得してもよい。
【０１４３】
図２０は、処方中止ケースの時間枠毎の対応テーブルのデータ例を示す図である。図２０に示される時間枠毎の対応テーブル５１５ｂ−２は、看護師端末５の経過表作成部５３０の表示対象作成部５３４が、キー情報５１４を用いて第２内容テーブル５１３ｂ−２のレコード種別「ＩＹ」のレコードを参照することによって作成したテーブルである。
【０１４４】
時間枠毎の対応テーブル５１５ｂ−２は、基本ケースの日毎の対応テーブル５１５ａ（図１１）と同様に、キー情報５１４と日付とのマトリックステーブルであり、処方薬の有無を示す。処方薬有りの場合、処方薬有りマーク「○」が設定され、処方薬無しの場合、マークは設定されず空欄となる。
【０１４５】
表示対象作成部５３４は、看護師等の利用者によって指定された画面表示期間に基づいて、経過表５１６の横軸の日付（月日）を求め、時間枠毎の対応テーブル５１５ｂ−２に設定する。この例では、時間枠は、４時間毎であるが、それ以下でもそれ以上であってもよく４時間に限定されない。
【０１４６】
また、キー情報５１４を用いて第２内容テーブル５１３ｂ−２のレコード種別「ＩＹ」のレコードを参照して、対応テーブル５１５ｂ−２において、キー情報５１４と開始日時が一致する日付であり、且つ、内服タイミングに対応する時間枠に、処方薬有りマーク「○」を設定する。
【０１４７】
図２０では、画面表示期間「2013/09/2」〜「2013/09/4」が指定された場合の時間枠毎の例を示し、時間枠毎の月日及び時間が設定されている。「9/2 0:00」から４時間毎に「9/4 20:00」までが示される。
【０１４８】
用法毎のＲＰ１に関しては、基本ケースの時間枠毎の対応テーブル５１５ａ（図１１）と同様に、時間枠に処方薬有りマーク「○」が設定される。
【０１４９】
ＲＰ２に関しては、医師により処方中止が指示されている（図１３）ため、入院患者に関しての処方薬用法情報５１１ｃ（図１４（Ｂ））が存在する。従って、時間枠毎の対応テーブル５１５ａ−２において、キー情報５１４の２行目（「2001／Y10301／    ／4264／2」）のレコードに対して、処方薬用法情報５１１ｃの開始日時に相当する時間枠「9/4 12:00」に処方中止指示マーク「●」が設定される。
【０１５０】
ＲＰ３に関しては、基本ケースの時間枠毎の対応テーブル５１５ａ（図１１）と同様に、時間枠に処方薬有りマーク「○」が設定される。
【０１５１】
処方中止指示マーク「●」に関して、好ましくは、時間枠内の先頭（この例では、処方薬有りマーク「○」の左横）に付与することで、処方中止指示に気付き易くなる。更に、処方中止指示マーク「●」が付与された後の時間枠について処方薬有りマーク「○」は、消去される。
【０１５２】
経過表画面表示部５３５は、上述した図１９に例示する時間枠毎の対応テーブル５１５ｂ−２と処方薬用法情報５１１及び５１１ｃとを用いて、経過表５１６を作成する。経過表画面表示部５３５は、必要に応じて、サーバ１００から更に情報を取得してもよい。また、処方薬用法情報５１１ｃが指定する処方中止指示の時間枠に処方薬有りマーク「○」が存在しない場合は、処方薬用法情報５１１ｃに基づいて表示内容を編集する。
【０１５３】
看護師等の利用者は、画面表示期間及び日毎（又は時間枠毎）表示を指定することによって、日毎（又は時間枠毎）に投薬スケジュールを確認することができる。
【０１５４】
例えば、画面表示期間を日毎に表示する日毎表示を指定すると、画面表示期間に基づいて、図２１のような投薬スケジュールを示す経過表５１６ａ−２が看護師端末５に表示される。
図２１は、処方中止ケースの図１９の対応テーブルに基づく日毎の経過表の表示例を示す図である。図２１において、処方中止ケースの日毎で投薬スケジュールを示す経過表５１６ａ−２では、画面表示期間「９／２（月）」から「９／９（月）」に対して、日毎に、医師の処方薬毎の用法指示内容が表示されている。
【０１５５】
医師の指示により処方中止となる「９／４（水）」の用法ＲＰ２の枠（表示欄）には、処方中止マーク「●」、処方薬有りマーク「○」、「コバジル錠２ｍｇ  ３錠  １日３回  朝・昼・夕食後」が表示されている。『「９／４（水）」には本来服用する「コバジル錠２ｍｇ  ３錠  １日３回  朝・昼・夕食後」があったが中止される』ことが分かり易く表示されている。
【０１５６】
図２１では、日の途中で処方中止となる日毎の表示例を示したが、用法ＲＰ２に対して、「９／４（水）」の夕食後に処方薬が有り、「９／５（木）」の朝食から処方中止となるような、処方中止の境目が日を跨る指示の場合、「９／４（水）」の用法ＲＰ２の枠（表示欄）には、医師の指示を示す「中止処方」等を併せて表示することが好ましい。
【０１５７】
例えば、用法ＲＰ２の「９／４（水）」の枠（表示欄）には、「○コバジル錠２ｍｇ  ３錠  １日３回  朝・昼・夕食後」を表示し、「９／５（木）」の枠（表示欄）には、「○中止処方  コバジル錠２ｍｇ  ３錠  １日３回  朝・昼・夕食後」を表示すれば良い。
【０１５８】
上述したように、医師により在指示済の処方を中止する入力が行われた場合に、処方を中止する当日において中止対象でない処方タイミングが存することを検出すると、該処方を中止する当日における投薬タイミングの明示を維持しつつ処方の中止を示すマークを該処方を中止する当日の表示欄に表示する制御が行われる。
【０１５９】
日毎で投薬時間スケジュールを示す経過表５１６ａ−２では、医師の指定日に服用を中止することは分かるが、用法ＲＰ２では「１日３回  朝・昼・夕食後」とあり、どの時間枠で中止するのかを知りたい場合、看護師等の利用者は、画面表示期間及び時間枠毎表示を指定して、時間枠毎に詳細を確認するこができる。画面表示期間を時間枠毎に表示する時間枠毎表示が指定されると、画面表示期間に基づいて、図２２のような投薬時間スケジュールを示す経過表５１６ｂ−２が看護師端末５に表示される。
【０１６０】
図２２は、処方中止ケースの図２０の対応テーブルに基づく時間枠毎の経過表の表示例を示す図である。図２２において、処方中止ケースの時間枠毎で投薬時間スケジュールを示す経過表５１６ｂ−２では、画面表示期間「９／３（火）」から「９／４（水）」に対して、医師の処方薬毎の用法指示内容が表示されている。
【０１６１】
医師の指示により処方中止となる「9/4 12:00」の用法ＲＰ２の枠には、処方中止マーク「●」、処方薬有りマーク「○」、「中止処方」、「コバジル錠２ｍｇ  ３錠  １日３回  朝・昼・夕食後」が表示されている。『「9/4 12:00」（昼食後）には本来服用する「コバジル錠２ｍｇ ３錠」があったが、「昼」から中止される』ことが分かり易く表示されている。
【０１６２】
従って、同日の夕食後の服用も無いため、「9/4 16:00」（夕食後）には処方薬有りマーク「○」は無く、また、それ以降の時間枠には処方薬有りマーク「○」は表示されない。
【０１６３】
時間枠毎で投薬時間スケジュールを示す経過表５１６ｂ−２によって、利用者は、処方中止のタイミングを容易に理解することができる。
【０１６４】
図２１の日毎の経過表５１６ａ−２及び図２２の時間枠毎の経過表５１６ｂ−２では、指示のあった既存の用法（ＲＰ）と同一行の枠内に用法変更の指示種別に応じたマークを表示し、また、用法変更の枠以降を空欄で表示する。従って、利用者は容易に既存の用法が変更されるタイミングを知ることができる。
【０１６５】
また、用法変更の内容が枠内に示されるため、医師の中止の指示内容を容易に理解することができる。
【０１６６】
次に、飲み切り終了ケースについて、図２３から図３１で説明する。ここでは、上述された処方中止指示と飲み切り終了指示とが医師によって行われた場合で説明する。図２３は、飲み切り終了ケースのオーダ情報例を示す図である。図２３では、医師による新たなオーダの発行に応じて作成されたオーダ情報３１に対して、処方中止指示の発行により作成されたオーダ情報３２と、飲み切り終了指示の発行により作成されたオーダ情報３３及び３４とを例示している。オーダ情報３１及び３２は、上述した通りであるのでその説明を省略する。
【０１６７】
オーダ情報３３は、飲み切り終了指示に応じて、サーバ１００が生成してオーダＤＢ１１２に格納されるデータであり、患者ＩＤ３３ａ、文書番号３３ｂ、オーダ番号３ｖｃ、関連オーダ番号３３ｃ−２、開始予定日時３３ｄ、処方中止対象用法３３ｅ等の表示項目を有する。患者ＩＤ３３ａ、文書番号３４ｂ、オーダ番号３３ｃは、オーダ情報３１と同様であるのでその説明を省略する。
【０１６８】
飲み切り終了指示を受信すると、サーバ１００のオーダ受付部１２０では、医師による飲み切り終了指示時で、一旦、既存の用法を中止して、指示時後の最初の服用タイミングから服用を再開させるために新たにレコードを作成し追加する。本実施例では、経過表５１６の表示時には、既存用法の行では、飲み切り終了指示までの用法を表示し、既存用法の行の直下に新たなレコードに基づく用法を表示する。
【０１６９】
開始予定日時３３ｄは、医師が飲み切り指示した日時に基づく日時が示される。この例では、医師によって指示された日時の１分前の「2013/09/05 18:29」が指定される。経過表５１６の表示時に、飲み切り終了指示時の直前の服用タイミングまでを既存の処方の行で示すためである。
【０１７０】
関連オーダ番号３３ｃ−２は、飲み切り対象の用法（ＲＰ）が指示されている既存オーダの番号を示す。関連オーダ番号３３ｃ−２は、後述されるオーダ情報３４に基づいて設定される。
【０１７１】
飲み切り対象用法３３ｅは、新規オーダ時の用法を特定する。飲み切り対象用法３３ｅには、対象用法内容３３ｆと指示３３ｇが示される。飲み切り対象用法３３ｅは、後述されるオーダ情報３４に基づいて設定される。
【０１７２】
図２３の例では、関連オーダ番号「４２６５」によって、既存オーダを特定している。飲み切り対象用法３３ｅの対象用法内容３３ｆには、「タナトリル錠１０ｍｇ  ２錠  １日２回朝・夕食後  ７日分」が示さる。対象用法内容３３ｆは、オーダ情報３１の用法一覧３１ｅ内の用法ＲＰ２の内容と同一である。
【０１７３】
指示３３ｇには、「処方中止」が示される。サーバ１００のオーダ受付部１２０は、既存の処方を中止するために、内部的に、処方中止指示を生成するためである。
【０１７４】
オーダ情報３４は、医師が飲み切り終了指示を示すオーダ情報３０１に基づいて、オーダＤＢ１１２に格納されるオーダ情報であり、患者ＩＤ３４ａ、文書番号３４ｂ、オーダ番号３４ｃ、関連オーダ番号３４ｃ−２、開始予定日時３４ｄ、処方中止対象用法３４ｅ等の表示項目を有する。患者ＩＤ３４ａ、文書番号３４ｂ、オーダ番号３４ｃは、オーダ情報３１と同様であるのでその説明を省略する。
【０１７５】
開始予定日時３４ｄは、医師が飲み切り指示した日時が示される。この例では、サーバ１００によって指示された日時「2013/09/05 18:30（夕食後）」が指定される。
【０１７６】
関連オーダ番号３４ｃ−２は、処方中止対象の用法（ＲＰ）が指示されている既存オーダの番号を示す。処方中止対象用法３４ｅは、新規オーダ時の用法を特定する。処方中止対象用法３４ｅには、対象用法内容３４ｆと飲み切り終了指示内容３４ｇが示される。関連オーダ番号３４ｃ−２及び処方中止対象用法３４ｅは、医師によって指定される。
【０１７７】
図２３の例では、関連オーダ番号「４２６５」によって、既存オーダを特定している。処方中止対象用法３４ｅの対象用法内容３４ｆには、「タナトリル錠１０ｍｇ  ２錠  １日２回朝・夕食後  ７日分」が示され、飲み切り終了指示内容３４ｇには、「服用開始  9/5  夕食後」が示されている。対象用法内容３４ｆは、オーダ情報３１の用法一覧３１ｅ内の用法ＲＰ２の内容と同一である。
【０１７８】
図２４は、飲み切り終了ケースの処方薬用法情報のデータ例を示す図である。図２４において、医師が指示した既存の用法を示すオーダ情報３１（図５）に基づいて作成された処方薬用法情報５１１に、医師による処方中止指示を示すオーダ情報３２（図１３）に基づいて作成された処方薬用法情報５１１ｃが、カーデックスＤＢ１１４に格納されている。開始日時及び終了日時は、同一の日時「2013/9/4 昼」を示すように、処方薬用法情報５１１ｃは作成される。
【０１７９】
更に、飲み切り終了指示に応じてサーバ１００が生成したオーダ情報３３（図２３）に基づいて作成された処方薬用法情報５１１ｄと、医師による飲み切り終了指示を示すオーダ情報３４（図２３）基づいて作成された処方薬用法情報５１１ｅとが、カーデックスＤＢ１１４に追加される。
【０１８０】
開始日時及び終了日時が同一の日時「2013/9/5 18:29」を示すように、処方薬用法情報５１１ｄは作成される。また、開始日時は日時「2013/9/5 18:30」、また、終了日時は日時「2013/9/5 昼」を示すように、処方薬用法情報５１１ｅは作成される。
【０１８１】
サーバ１００のオーダ分解部１４０は、処方中止指示を示す処方薬用法情報５１１ｃに基づいて、関連オーダ「４２６４」と一致するオーダ番号のレコードのうち、ＲＰ番号「２」のレコードの終了日時を、処方薬用法情報５１１ｃの終了日時「2013/9/4 昼」で書き換える。このようにして処方中止対象の用法（ＲＰ）が変更される。
【０１８２】
また、オーダ分解部１４０は、飲み切り終了指示を示す処方薬用法情報５１１ｄに基づいて、関連オーダ「４２６４」と一致するオーダ番号のレコードのうち、ＲＰ番号「３」のレコードの終了日時を、処方薬用法情報５１１ｄの終了日時「2013/9/4 18:29」で書き換える。このようにして飲み切り終了対象の用法（ＲＰ）が変更される。
【０１８３】
更に、伝票名に「飲み切り終了指示」が存在する場合は、オーダ分解部１４０は、伝票名「飲み切り終了指示」のレコードのＲＰ番号と一致するレコードに対して、予備領域（変更フラグ）に「１」を設定する。「１」を設定することにより、医師により飲み切り終了指示がなされたことを示す。
【０１８４】
図２５は、飲み切り終了ケースの第１内部テーブルのデータ例を示す図である。図２５に例示する第１内部テーブル５１３ａ−４は、図７、図１５の第１内部テーブル５１３ａと同様の項目を有する。これら項目は、図６の処方薬用法情報５１１と同様であるので、各項目の説明を省略する。
【０１８５】
図２５を参照して、飲み切り終了ケースにおける、看護師端末５における経過表作成部５３０の分解部５３２の有効日毎分解部５３３ａの有効日毎分解処理の例について説明する。有効日毎分解部５３３ａは、レコード種別「ＩＲ」を示す処方薬用法情報５１１及び処方薬用法情報５１１ｃを処理対象とする。開始日時と終了日時とから有効日数を取得して、処方薬用法情報５１１を有効日数分の日毎の単位用法情報７ａに分解する。
【０１８６】
図２５では、患者ＩＤ「20110」の入院患者に対して取得したレコード種別「ＩＲ」を示す処方薬用法情報５１１（図２４）に基づいて、用法（ＲＰ）毎に、有効日数分（８、４、又は３レコード分）の日毎の単位用法情報７ａに分解した例を示している。
【０１８７】
図２４のＲＰ番号「１」に対して、有効日毎分解部５３３ａは、基本ケースと同様に、有効日数「８日」分の日毎の単位用法情報７ａを作成し、レコード種別を、日毎を示す「ＩＸ」に書き換える。
【０１８８】
図２４のＲＰ番号「２」に対して、有効日毎分解部５３３ａは、終了日時が「2013/9/4 昼」に変更されているため、有効日数は「３日」となる。従って、有効日毎分解部５３３ａは、「３日」分の日毎の単位用法情報７ａを作成し、レコード種別を、日毎を示す「ＩＸ」に書き換える。
【０１８９】
また、図２４のＲＰ番号「３」に対して、有効日毎分解部５３３ａは、終了日時が「2013/9/5 18:29」に変更されているため、有効日数は「４日」となる。従って、有効日毎分解部５３３ａは、「４日」分の日毎の単位用法情報７ａを作成し、レコード種別を、日毎を示す「ＩＸ」に書き換える。
【０１９０】
このようにして作成された第１内部テーブル５１３ａ−４は、端末記憶部１３０ｂに格納される。
【０１９１】
図２６から図２８は、飲み切り終了ケースの第２内部テーブルのデータ例を示す図である。図２６から図２８で、飲み切り終了ケースの第２内部テーブル５１３ｂ−４の全体を示す。図２６から図２８に例示する第２内部テーブル５１３ｂ−４は、図８の飲み切り終了ケースの第２内部テーブル５１３ｂと同様の項目を有し、これら項目の説明を省略する。
【０１９２】
図２６から図２８を参照して、飲み切り終了ケースにおける、看護師端末５における経過表作成部５３０の分解部５３２の分服毎分解部５３３ｂによる分服毎分解処理は、図８を参照して説明した基本ケースと同様であるので、詳細な説明は省略する。
【０１９３】
分服毎分解部５３３ｂは有効日毎分解部５３３ａが作成した第１内部テーブル５１３ａ−４（図２５）に対して、更に、用法コードに従って、分服毎の単位用法情報７ａ−２に分解し、分解したレコードを追加する。
【０１９４】
図２６では、患者ＩＤ「20110」の入院患者の第１内部テーブル５３１ａ−４を用いて、レコード種別「ＩＸ」のＲＰ番号「１」の各レコードに対して、用法コードに基づいて、分服毎の単位用法情報７ａ−２に分解した例を示している。
【０１９５】
図２７では、患者ＩＤ「20110」の入院患者の第１内部テーブル５３１ａ−４を用いて、レコード種別「ＩＸ」のＲＰ番号「２」の各レコードに対して、用法コードに基づいて、分服毎の単位用法情報７ａ−２に分解した例を示している。
【０１９６】
図２８では、患者ＩＤ「20110」の入院患者の第１内部テーブル５３１ａ−４を用いて、レコード種別「ＩＸ」のＲＰ番号「３」の各レコードに対して、用法コードに基づいて、分服毎の単位用法情報７ａ−２に分解した例を示している。生成された分服毎の単位用法情報７ａ−２の予備領域（変更フラグ）には「１」が設定されている。
【０１９７】
また、レコード種別「ＩＸ」のＲＰ番号「３」かつ伝票名「処方中止指示」のレコード（単位用法情報７ｃ）に対して、開始日時に処方中止タイミングを設定した単位用法情報７ｃ−２が作成される。即ち、処方薬用法情報５１１ｃ（図２４）と同じ開始日時「2013/9/4 昼」が設定された単位用法情報７ｃ−２が作成される。
【０１９８】
更に、レコード種別「ＩＸ」のＲＰ番号「３」かつ伝票名「処方中止指示」のレコード（単位用法情報７ｅ）に対して、開始日時に処方中止タイミングを設定した単位用法情報７ｅ−２が作成される。即ち、処方薬用法情報５１１ｄ（図２４）に基づいた開始日時及び終了日時を同一とした「2013/9/5 18:29」が設定された単位用法情報７ｅ−２が作成される。
【０１９９】
また、レコード種別「ＩＸ」のＲＰ番号「３」かつ伝票名「飲み切り終了指示」のレコード（単位用法情報７ｇ）に対して、開始日時に飲み切り終了タイミングを設定した単位用法情報７ｇ−２が作成される。即ち、処方薬用法情報５１１ｅ（図２４）に基づいて、開始日時に「2013/9/5 18:30」、終了日時に「2013/9/9 昼」が設定された単位用法情報７ｇ−２が作成される。
【０２００】
次に、看護師端末５の経過表作成部５３０の表示対象作成部５３４による表示対象作成処理で作成される、飲み切り終了ケースのキー情報５１４−４及び対応テーブル５１５ａ−４、５１５ｂ−４について説明する。図２９は、飲み切り終了ケースのキー情報のデータ例を示す図である。図２９に示すキー情報５１４−４は、表示対象作成部５３４によって、端末記憶部１３０ｂに格納されている伝票名「入院処方」の処方薬用法情報５１１、及び、伝票名「飲み切り終了指示」の処方薬用法情報５１１ｅ（図２４）に基づいて作成され、用法（ＲＰ）毎に、「予備領域（並び順）／用法コード／関連オーダ番号／オーダ番号／ＲＰ番号」を示す。
【０２０１】
飲み切り終了ケースでは、伝票名「飲み切り終了指示」の処方薬用法情報５１１ｅ（図２４）が存在する。経過表５１６において、飲み切り指示以降の用法を表示する行が作成されるように、キー情報５１４−４が作成される。
【０２０２】
処方薬用法情報５１１及び５１１ｅ（図２４）に基づいて作成されたキー情報５１４−４によって、経過表５１６に表示する際の、処方薬の並び順と、処方薬に対する用法とが特定される。予め決められた並び順で経過表５１６を作成するために、表示対象作成部５３４は、作成したキー情報５１４−４を予備領域（並び順）でソートする。
【０２０３】
図２９の例では、ソートした１行目（経過表５１６の１番目の処方）には、「2000／Y10301／    ／4264／1」（ＲＰ１）が指定される。また、２行目（経過表５１６の２番目の処方）には、「2001／Y10301／    ／4264／2」（ＲＰ２）が指定される。更に、３行目（経過表５１６の３番目の処方）には、「2002／Y10307／    ／4264／3」（ＲＰ３）が指定される。そして、４行目（経過表５１６の４番目の処方）には、「2002／Y10307／4246／4264／3」（ＲＰ３）が指定される。
【０２０４】
このようなキー情報５１４−４の順に従って、経過表５１６が作成されることにより、飲み切り終了指示のあったＲＰ３の直下の行に飲み切り終了指示後のＲＰ３の用法が表示可能となる。
【０２０５】
ここで、例えば、ＲＰ２に対して飲み切り終了指示があった場合は、
１行目に「2000／Y10301／    ／4264／1」（ＲＰ１）、
２行目に「2001／Y10301／    ／4264／2」（ＲＰ２）、
３行目に「2001／Y10301／4246／4264／2」（ＲＰ２）、
４行目に「2002／Y10307／    ／4264／3」（ＲＰ３）
とソートされる。即ち、飲み切り終了指示のあったＲＰ２直下の行に飲み切り終了指示後のＲＰ２の用法が表示可能となる。
【０２０６】
飲み切り終了ケースの経過表５１６を作成する際に参照される対応テーブル５１５ａ−４について説明する。図３０は、飲み切り終了ケースの日毎の対応テーブルのデータ例を示す図である。図３０に示される日毎の投薬スケジュールを示す対応テーブル５１５ａ−４は、看護師端末５の経過表作成部５３０の表示対象作成部５３４が、キー情報５１４−４を用いて第２内容テーブル５１３ｂ−４のレコード種別「ＩＸ」のレコードを参照することによって作成したテーブルである。
【０２０７】
日毎の投薬スケジュールを示す対応テーブル５１５ａ−４は、基本ケースの日毎の対応テーブル５１５ａ（図２５）と同様に、キー情報５１４−４と日付とのマトリックステーブルであり、処方薬の有無を示す。処方薬有りの場合、処方薬有りマーク「○」が設定され、処方薬無しの場合、マークは設定されず空欄となる。
【０２０８】
表示対象作成部５３４は、看護師等の利用者によって指定された画面表示期間に基づいて、経過表５１６の横軸の日付（月日）を求め、日毎の対応テーブル５１５ａ−４に設定する。
【０２０９】
また、表示対象作成部５３４は、キー情報５１４−４（図２９）の１行目から順に用いて第１内容テーブル５１３ａ−４（レコード種別「ＩＸ」のレコード）を参照し、対応テーブル５１５ａ−４において、キー情報５１４−４と開始日時が一致する日付に対応する枠に、処方薬有りマーク「○」を設定する。
【０２１０】
キー情報５１４−４（図２９）を用いて第１内容テーブル５１３ａ−４（図２５）（レコード種別「ＩＸ」のレコード）を参照したときに、伝票名「処方中止指示」のレコード（単位用法情報７ｃ及び７ｅ）が存在する場合、表示対象作成部５３４は、日毎の対応テーブル５１５ａ−２において、当該レコード（単位用法情報７ｃ及び７ｅ）のＲＰ番号と開始日時とに対応する枠に、処方中止マーク「●」を付与する。キー情報５１４−４（図２９）の２行目及び３行目を用いた場合に相当する。
【０２１１】
キー情報５１４−４（図２９の３行目）で伝票名「飲み切り終了指示」のレコードを検出した場合、処方中止マーク「●」を飲み切り終了マーク「（！）」で置き換える。
【０２１２】
又は、伝票名「処方中止指示」のレコード（単位用法情報７ｃ及び７ｅ）が存在し、処方中止マーク「●」を付与する対象の枠に相当するレコード（単位用法情報７ａ）の予備領域（服用変更フラグ）が「１」を示す場合、処方中止マーク「●」の代わりに、飲み切り終了マーク「（！）」を付与する。
【０２１３】
図３０の例では、用法ＲＰ１については、全て処方薬有りマーク「○」が付与されて、基本ケース（図１０）と同様である。
【０２１４】
用法ＲＰ２については、日付「９月４日」の枠に処方中止マーク「●」が、処方薬有りマーク「○」に加えて付与されている。日付「９月５日」以降は全て空欄である。
【０２１５】
また、用法ＲＰ３については、日付「９月５日」の枠に飲み切り終了マーク「（！）」が、処方薬有りマーク「○」に加えて付与されている。日付「９月６日」以降は全て空欄である。
【０２１６】
更に、用法ＲＰ３の直下に作成された行では、日付「９月２日」から「９月５日」の枠では空欄となり、日付「９月５日」から「９月９日」の枠で処方薬有りマーク「○」が付与されている。
【０２１７】
経過表画面表示部５３５は、上述した図１９に例示する日毎の対応テーブル５１５ａ−４と処方薬用法情報５１１、５１１ｃ、５１１ｅ、及び５１１ｇとを用いて、経過表５１６を作成する。経過表画面表示部５３５は、必要に応じて、サーバ１００から更に情報を取得してもよい。
【０２１８】
図３１は、飲み切り終了ケースの時間枠毎の対応テーブルのデータ例を示す図である。図３１に示される時間枠毎の対応テーブル５１５ｂ−４は、看護師端末５の経過表作成部５３０の表示対象作成部５３４が、キー情報５１４−４を用いて第２内容テーブル５１３ｂ−４のレコード種別「ＩＹ」のレコードを参照することによって作成したテーブルである。
【０２１９】
時間枠毎の対応テーブル５１５ｂ−４は、基本ケースの時間枠毎の対応テーブル５１５ａ（図１１）と同様に、キー情報５１４−４と日付とのマトリックステーブルであり、処方薬の有無を示す。処方薬有りの場合、処方薬有りマーク「○」が設定され、処方薬無しの場合、マークは設定されず空欄となる。
【０２２０】
表示対象作成部５３４は、看護師等の利用者によって指定された画面表示期間に基づいて、経過表５１６の横軸の日付（月日）を求め、時間枠毎の対応テーブル５１５ｂ−４に設定する。この例では、時間枠は、４時間毎であるが、それ以下でもそれ以上であってもよく４時間に限定されない。
【０２２１】
また、キー情報５１４−４を用いて第２内容テーブル５１３ｂ−４のレコード種別「ＩＹ」のレコードを参照して、対応テーブル５１５ｂ−４において、キー情報５１４−４と開始日時が一致する日付であり、且つ、内服タイミングに対応する時間枠に、処方薬有りマーク「○」を設定する。
【０２２２】
図３１では、画面表示期間「2013/09/4」〜「2013/09/9」が指定された場合の時間枠毎の例を示し、時間枠毎の月日及び時間が設定されている。「9/4 0:00」から４時間毎に「9/9 20:00」までが示される。
【０２２３】
用法毎のＲＰ１に関しては、基本ケースの時間枠毎の対応テーブル５１５ｂ（図１１）と同様に、時間枠に処方薬有りマーク「○」が設定される。
【０２２４】
ＲＰ２に関しては、医師により処方中止が指示されている（図２３）ため、入院患者に関しての処方薬用法情報５１１ｃ（図２４）が存在する。従って、時間枠毎の対応テーブル５１５ａ−４において、処方薬用法情報５１１ｃのＲＰ番号「２」を含むキー情報５１４−４の２行目（「2001／Y10301／    ／4264／2」）のレコードに対して、処方薬用法情報５１１ｃの開始日時に相当する時間枠「9/4 12:00」に処方中止指示マーク「●」が設定される。即ち、既存処方の用法を示す行において、処方中止指示マーク「●」が設定される。
【０２２５】
ＲＰ３に関しては、医師により飲み切り終了が指示されている（図２３）。従って、時間枠毎の対応テーブル５１５ａ−４において、キー情報５１４−４の３行目（「2002／Y10307／    ／4264／3」）のレコードに対して、処方薬用法情報５１１ｅの開示日時「2013/9/5 18:29」に対応する時間枠の直前の時間枠に飲み切り終了マーク「（！）」が設定される。即ち、既存処方の用法を示す行において、飲み切り終了マーク「（！）」が設定される。
【０２２６】
ＲＰ３に関しては、更に、既存処方の用法の直下の行（キー情報５１４−４の４行目）に相当する４行目のレコードに対して、処方薬用法情報５１１ｇの開示日時「2013/9/5 18:30」の時間枠「9/5 16:00」から、終了日時「9/9 昼」の時間枠「9/9 12:00」まで、処方コード「Y10307」に従って、処方薬有りマーク「○」が設定される。
【０２２７】
処方中止指示マーク「●」及び飲み切り終了マーク「（！）」に関して、好ましくは、時間枠内の先頭（この例では、処方薬有りマーク「○」の左横）に付与することで、処方中止指示又は飲み切り終了指示に気付き易くなる。更に、処方中止指示マーク「●」が付与された後の時間枠では、処方薬有りマーク「○」は消去されているため、明確に処方中止指示を理解することができる。一方、飲み切り終了マーク「（！）」が付与された処方では、その直下の行に、飲み切り終了後において処方薬有りマーク「○」が付与されているため、明確に、指示後の残りを飲みきって投薬終了することが分かる。
【０２２８】
経過表画面表示部５３５は、上述した図３１に例示する時間枠毎の対応テーブル５１５ｂ−４と処方薬用法情報５１１、５１１ｃ、５１１ｅ、５１１ｇとを用いて、経過表５１６を作成する。経過表画面表示部５３５は、必要に応じて、サーバ１００から更に情報を取得してもよい。また、処方薬用法情報５１１ｃが指定する処方中止指示の時間枠に処方薬有りマーク「○」が存在しない場合は、処方薬用法情報５１１ｃに基づいて表示内容を編集する。
【０２２９】
看護師等の利用者は、画面表示期間及び日毎（又は時間枠毎）表示を指定することによって、日毎（又は時間枠毎）に投薬スケジュールを確認することができる。
【０２３０】
例えば、画面表示期間を日毎に表示する日毎表示を指定すると、画面表示期間に基づいて、図３２のような経過表５１６ａ−４が看護師端末５に表示される。図３２は、飲み切り終了ケースの図２９の対応テーブルに基づく日毎の経過表の表示例を示す図である。図３２において、飲み切り終了ケースの日毎で投薬時間スケジュールを示す経過表５１６ａ−４では、画面表示期間「９／２（月）」から「９／９（月）」に対して、日毎に、医師の処方薬毎の用法指示内容が表示されている。
【０２３１】
医師の指示により処方中止となる「９／４（水）」の用法ＲＰ２の枠には、処方中止マーク「●」、処方薬有りマーク「○」、「コバジル錠２ｍｇ  ３錠  １日３回  朝・昼・夕食後」が表示されている。『「９／４（水）」には本来服用する「コバジル錠２ｍｇ  ３錠  １日３回  朝・昼・夕食後」があったが中止される』ことが分かり易く表示されている。
【０２３２】
また、医師の飲み切り終了を指示した「９／５（木）」の用法ＲＰ３の枠には、飲み切り終了マーク「（！）」、処方薬有りマーク「○」、「タナトリル錠１０ｍｇ ２錠１日２回朝・夕食後」が表示されている。『「９／５（木）」に「タナトリル錠１０ｍｇ ２錠１日２回朝・夕食後」の飲み切り終了の指示があった』ことが分かり易く表示されている。
【０２３３】
図３２では、日の途中で処方中止となる日単位の表示例を示したが、「９／４（水）」の夕食後に処方薬が有り、「９／４（木）」の朝食後に処方中止となる処方中止の境目が日を跨る場合、「９／４（水）」の用法ＲＰ２の枠（表示欄）には、医師の指示を示す「中止処方」等を併せて表示することが好ましい。
【０２３４】
例えば、用法ＲＰ２の「９／４（水）」の枠（表示欄）には、「○コバジル錠２ｍｇ  ３錠  １日３回  朝・昼・夕食後」を表示し、「９／５（木）」の枠（表示欄）には、「○中止処方  コバジル錠２ｍｇ  ３錠  １日３回  朝・昼・夕食後」を表示すれば良い。
【０２３５】
日毎で投薬時間スケジュールを示す経過表５１６ａ−４では、医師から処方中止の指示があったこと、飲み切り終了指示があったことは分かるが、用法ＲＰ２、ＲＰ３共に分服であり、服用を中止するタイミング、医師が指示した飲み切り終了指示のタイミング等の詳細を知りたい場合がある。その場合、看護師等の利用者は、画面表示期間及び時間枠毎表示を指定して、時間枠毎に詳細を確認するこができる。画面表示期間を時間枠毎に表示する時間枠毎表示が指定されると、画面表示期間に基づいて、図３３のような投薬時間スケジュールを示す経過表５１６ｂ−４が看護師端末５に表示される。
【０２３６】
図３３は、飲み切り終了ケースの図３０の対応テーブルに基づく時間枠毎の経過表の表示例を示す図である。図３３において、飲み切り終了ケースの時間枠毎で投薬時間スケジュールを示す経過表５１６ｂ−４では、画面表示期間「９／４（水）」から「９／５（木）」に対して、医師の処方薬毎の用法指示内容が表示されている。
【０２３７】
医師の指示により処方中止となる「9/4 12:00」の用法ＲＰ２の枠には、処方中止マーク「●」、処方薬有りマーク「○」、「中止処方」、「コバジル錠２ｍｇ  ３錠  １日３回  朝・昼・夕食後」が表示されている。『「9/4 12:00」（昼食後）には本来服用する「コバジル錠２ｍｇ ３錠」があったが、「昼」から中止される』ことが分かり易く表示されている。
【０２３８】
従って、同日の夕食後の服用も無いため、「9/4 16:00」（夕食後）には処方薬有りマーク「○」は無く、また、それ以降の時間枠には処方薬有りマーク「○」は表示されない。
【０２３９】
また、医師より飲み切り終了の指示がなされた用法ＲＰ３の「9/5 8:00」の時間枠には、飲み切り終了マーク「（！）」、処方薬有りマーク「○」、「タナトリル錠１０ｍｇ ２錠１日２回朝・夕食後」が表示されている。更に、直下の行の「9/5 16:00」には、医師が指示した既存の用法に従って、投薬内容が表示されている。
【０２４０】
処方中止指示を既存の投薬スケジュール上で表示することにより、処方中止の指示の存在を容易に把握することができる。同様に、飲み切り終了指示も投薬スケジュール上で表示されることにより、飲み切り終了の指示存在を容易に把握することができる。飲み切り終了の場合は、更に、対象となった既存の用法の直下の行に、飲み切り終了指示後の処方が既存用法に従って表示されることにより、飲み切り終了指示等の変更があったことが把握し易くなる。
【０２４１】
時間枠毎で投薬時間スケジュールを示す経過表５１６ｂ−４によって、利用者は、処方中止のタイミングを容易に理解することができる。また、利用者は、飲み切り終了等の変更のタイミングを容易に理解することができる。
【０２４２】
図３４は、経過表の印刷出力例を示す図である。図３４において、経過表９ａは、看護師端末５等からの印刷要求に応じてプリンタ９から出力された例である。経過表９ａにおいて、項目「薬剤」の項目「処方」の領域に、用法ＲＰ１、ＲＰ２、及びＲＰ３が、図３２の画面表示された場合の日毎の経過表５１６ａ−４と同様に示される。
経過表５１６ｂ−４との違いにおいて、飲み切り終了マーク「（！）」の代わりに、飲み切り終了マーク「［×］」が印刷される場合を示している。画面表示と同様の標記で示すようにしても良い。
【０２４３】
図３４では、日の途中で処方中止となる日単位の印刷出力例を示したが、「９／４（水）」の夕食後に処方薬が有り、「９／４（木）」の朝食後に処方中止となる処方中止の境目が日を跨る場合、「９／４（水）」の用法ＲＰ２の枠（表示欄）には、医師の指示を示す「中止処方」等を併せて表示することが好ましい。
【０２４４】
例えば、用法ＲＰ２の「９／４（水）」の枠（表示欄）には、「○コバジル錠２ｍｇ  ３錠  １日３回  朝・昼・夕食後」を示し、「９／５（木）」の枠（表示欄）には、「○中止処方  コバジル錠２ｍｇ  ３錠  １日３回  朝・昼・夕食後」を示せば良い。
【０２４５】
次に、本実施例の看護師端末５の経過表作成部５３０による経過表作成処理について図３５及び図３６で説明する。
【０２４６】
図３５及び図３６は、看護師端末の経過表作成部による経過表作成処理を説明するための図である。図３５において、経過表作成部５３０の処方薬用法情報取得部５３１は、サーバ１００から、サーバ１００のカーデックスＤＢ１１４に記憶されている入院患者の処方薬用法情報５１１を取得する（ステップＳ１１）。処方薬用法情報５１１は端末記憶部１３０ｂに記憶される。
【０２４７】
分解部５３３は、処方薬用法情報５１１を有効日数に基づいて分解する。即ち、有効日毎分解部５３３ａは、処方薬用法情報５１１から有効日毎の単位用法情報７ａを生成して、第１内部テーブル５１３ａ（又５１３ａ−２又は５１３ａ−４）を作成し、端末記憶部１３０ｂに記憶する。また、分服毎分解部５３３ｂは、第１内部テーブル５１３ａを参照して、服用タイミング毎の単位用法情報７ｂを生成して、第２内容テーブル５１３ｂ（又は５１３ｂ−２又は５１３ｂ−４）を作成し、端末記憶部１３０ｂに記憶する。
【０２４８】
表示対象作成部５３４は、キー情報５１４（又は５１４−４）を作成し、ソートする（ステップＳ１３）。そして、看護師等の利用者から画面表示期間、及び、表示単位（日毎又は時間枠毎）を取得し（ステップＳ１４）、日毎が選択されたか又は時間枠毎が選択されたかを判断する（ステップＳ１５）。
【０２４９】
時間枠毎が選択された場合、表示対象作成部５３４は、図３６のステップＳ３６へと進む。一方、日毎が選択された場合、表示対象作成部５３４は、画面表示期間に基づいて、経過表の横軸を求め、キー情報５１４（又は５１４−４）及び第１内部テーブル５１３ａ（又は５１３ａ−２又は５１３ａ−４）を用いて、キー情報５１４（又は５１４−４）と開始日時とから対応する枠内に処方有りマーク「○」を付与する（ステップＳ１６）。対応テーブル５１５（又は５１５ａ−２又は５１５ａ−４）が端末記憶部１３０ｂに記憶される。
【０２５０】
表示対象作成部５３４は、処方中止指示が存在するか否かを判断する（ステップＳ１７）。処方中止指示が第１内部テーブル５１３ａ（又は５１３ａ−２又は５１３ａ−４）に存在しない場合、経過表画面表示部５３５によって、マーク（処方有りマーク「○」）が存在する枠内に投薬タイミングを含む処方内容が設定される（ステップＳ２１）。経過表画面表示部５３５によって、対応テーブル５１５ａ（図１０）に基づいて、マーク（処方有りマーク「○」）が付与された、日毎の経過表５１６が作成され画面表示される（ステップＳ２５）。そして、経過表作成処理は終了する。
【０２５１】
一方、処方中止指示が存在した場合、表示対象作成部５３４は、処方中止指示によって指定される開始日時の枠内に処方中止マーク「●」を付与し（ステップＳ１８）、更に、飲み切り終了指示が存在するか否かを判断する（ステップＳ１９）。処方中止マーク「●」を付与する処理（ステップＳ１８）をステップＳ１９の後で行ってもよい。
【０２５２】
飲み切り終了指示が存在しない場合、表示対象作成部５３４は、処方の中止当日に中止対象でない投薬が存在するか否かを判断する（ステップＳ２０）。投薬が存在しない場合、経過表画面表示部５３５によって、対応テーブル５１５ａ−２（図１９）に基づいて、処方有りマーク「○」に加え、処方中止マーク「●」が付与された、日毎の経過表５１６が作成され画面表示される（ステップＳ２５）。そして、経過表作成処理は終了する。
【０２５３】
投薬が存在する場合、表示対象作成部５３４は、マーク（処方有りマーク「○」又は処方中止マーク「●」）が存在する枠内に投薬タイミングを含む処方内容を設定する（ステップＳ２１）。従って、中止当日の枠内に投薬タイミングの明示を維持しつつ処方中止マークを付与される。
【０２５４】
一方、飲み切り終了指示が存在する場合、表示対象作成部５３４は、飲み切り終了指示の枠内に飲み切り終了マーク「（！）」を付与する（ステップＳ２２）。処方中止マーク「●」が付与されている場合、処方中止マーク「●」を飲み切り終了マーク「（！）」で置き換える。
【０２５５】
また、表示対象作成部５３４は、飲み切り終了指示のあった既存処方の直下の行に、指示後の投薬スケジュールを設定する（ステップＳ２３）。飲み切り終了指示のあった既存処方の直下の行に対して、キー情報５１４−４と開始日時とから対応する枠内に処方有りマーク「○」が付与される。
【０２５６】
そして、経過表画面表示部５３５は、マーク（処方有りマーク「○」又は飲み切り終了マーク「（！）」）が存在する枠内に投薬タイミングを含む処方内容を設定する（ステップＳ２４）。従って、飲み切り終了指示の枠内に投薬タイミングの明示を維持しつつ飲み切り終了マーク「（！）」が付与される。従って、経過表画面表示部５３５によって、対応テーブル５１５ａ−４（図３０）に基づいて、処方有りマーク「○」に加え、処方中止マーク「●」と飲み切り終了マーク「（！）」とが付与された、日毎の経過表５１６が作成され画面表示される（ステップＳ２５）。そして、経過表作成処理は終了する。
【０２５７】
図３６にて、図３５のステップＳ１５において、時間枠毎が選択された場合、表示対象作成部５３４は、画面表示期間に基づいて、経過表の横軸を求め、キー情報５１４（又は５１４−４）及び第２内部テーブル５１３ｂ（又は５１３ｂ−２又は５１３ｂ−４）を用いて、キー情報５１４（又は５１４−４）と開始日時とから対応する時間枠内に処方有りマーク「○」を付与する（ステップＳ３６）。対応テーブル５１５（又は５１５ｂ−２又は５１５ｂ−４）が端末記憶部１３０ｂに記憶される。
【０２５８】
表示対象作成部５３４は、処方中止指示が存在するか否かを判断する（ステップＳ３７）。処方中止指示が第２内部テーブル５１３ｂ（又は５１３ｂ−２又は５１３ｂ−４）に存在しない場合、経過表画面表示部５３５によって、マーク（処方有りマーク「○」）が存在する時間枠内に投薬タイミングを含む処方内容が設定される（ステップＳ４１）。経過表画面表示部５３５によって、対応テーブル５１５ｂ（図１１）に基づいて、マーク（処方有りマーク「○」）が付与された、時間枠毎の経過表５１６が作成され画面表示される（ステップＳ４５）。そして、経過表作成処理は終了する。
【０２５９】
一方、処方中止指示が存在した場合、表示対象作成部５３４は、処方中止指示によって指定される開始日時の時間枠内に処方中止マーク「●」を付与し（ステップＳ３８）、更に、飲み切り終了指示が存在するか否かを判断する（ステップＳ３９）。処方中止マーク「●」を付与する処理（ステップＳ３８）をステップＳ３９の後で行ってもよい。
【０２６０】
飲み切り終了指示が存在しない場合、表示対象作成部５３４は、処方の中止当日に中止対象でない投薬が存在するか否かを判断する（ステップＳ４０）。投薬が存在しない場合、経過表画面表示部５３５によって、対応テーブル５１５ｂ−２（図２０）に基づいて、処方有りマーク「○」に加え、処方中止マーク「●」が付与された、時間枠毎の経過表５１６が作成され画面表示される（ステップＳ４５）。そして、経過表作成処理は終了する。
【０２６１】
投薬が存在する場合、表示対象作成部５３４は、マーク（処方有りマーク「○」又は処方中止マーク「●」）が存在する枠内に投薬タイミングを含む処方内容を設定する（ステップＳ４１）。従って、中止当日の枠内に投薬タイミングの明示を維持しつつ処方中止マークを付与される。
【０２６２】
一方、飲み切り終了指示が存在する場合、表示対象作成部５３４は、飲み切り終了指示の時間枠内に飲み切り終了マーク「（！）」を付与する（ステップＳ４２）。処方中止マーク「●」が付与されている場合、処方中止マーク「●」を飲み切り終了マーク「（！）」で置き換える。
【０２６３】
また、表示対象作成部５３４は、飲み切り終了指示のあった既存処方の直下の行に、指示後の投薬スケジュールを設定する（ステップＳ４３）。飲み切り終了指示のあった既存処方の直下の行に対して、キー情報５１４−４と開始日時とから対応する枠内に処方有りマーク「○」が付与される。
【０２６４】
そして、経過表画面表示部５３５は、マーク（処方有りマーク「○」又は飲み切り終了マーク「（！）」）が存在する枠内に投薬タイミングを含む処方内容を設定する（ステップＳ４４）。従って、飲み切り終了指示の枠内に投薬タイミングの明示を維持しつつ飲み切り終了マーク「（！）」が付与される。従って、経過表画面表示部５３５によって、対応テーブル５１５ｂ−４（図３１）に基づいて、処方有りマーク「○」に加え、処方中止マーク「●」と飲み切り終了マーク「（！）」とが付与された、時間枠毎の経過表５１６が作成され画面表示される（ステップＳ４５）。そして、経過表作成処理は終了する。
【０２６５】
上述したように、本実施例では、投薬スケジュールにおいて、処方の中止当日の表示欄に、中止当日の投薬タイミングを明示しつつ処方中止マークを表示することで、日の途中で変更になる処方を見易く表示できる。
【０２６６】
本発明は、具体的に開示された実施例に限定されるものではなく、特許請求の範囲から逸脱することなく、種々の変形や変更が可能である。
【０２６７】
以上の実施例を含む実施形態に関し、更に以下の付記を開示する。
（付記１）
指示された処方に応じて投薬対象日についての投薬タイミングを明示する投薬スケジュールをカレンダ表示する制御をコンピュータに実行させる制御プログラムにおいて、
指示済の処方を中止する入力が行われた場合に、処方を中止する当日において中止対象でない処方タイミングが存在することを検出すると、該処方を中止する当日における投薬タイミングの明示を維持しつつ処方の中止を示すマークを該処方を中止する当日の表示欄に表示する制御を行う、
処理を実行させることを特徴とする制御プログラム。
（付記２）
前記指示済みの処方を飲み切って終了する入力が行われた場合、該入力が行われた当日において処方タイミングが存在することを検出すると、該当日における投薬タイミングの明示を維持しつつ飲み切り終了を示すマークを該当日の表示欄に付与し、また、該当日以後の投薬タイミングは該処方の直下の行の表示欄に表示する制御を行う
処理を実行させること特徴とする付記１記載の制御プログラム。
（付記３）
指示された処方に応じて投薬時間スケジュールを表示する制御をコンピュータに実行させる制御プログラムであって、
指示済の処方を中止する入力が行われた場合に、処方の中止が行われる当日であって処方を中止する対象の時間よりも前の時間であって、該処方の中止が行われる当日であって中止の対象外の最後の処方を行う時間よりも後の時間の時間枠内に中止される該処方の内容と該処方の中止を示す情報とを含む表示を行う、
処理を実行させることを特徴とする制御プログラム。
（付記４）
前記処方の中止が行われる当日であって処方を中止する対象の時間枠内には、前記処方についての表示は行わない、ことを特徴とする付記３記載の制御プログラム。
（付記５）
指示された処方に応じて投薬時間スケジュールを表示する制御をコンピュータに実行させる制御プログラムであって、
指示済の処方を中止する入力が行われた場合に、処方の中止が行われる当日であって処方を中止する対象の時間枠内に中止される該処方の内容と該処方の中止を示す情報とを含む表示を行う、
処理を実行させることを特徴とする制御プログラム。
（付記６）
前記処方の中止が行われる当日であって処方を中止する対象の時間枠後の時間枠内には、前記処方についての表示は行わない、ことを特徴とする付記３記載の制御プログラム。
（付記７）
前記指示済みの処方を飲み切って終了する入力が行われた場合、該入力が行われた当日であって該入力の時間枠内に投薬タイミングの明示を維持しつつ飲み切り終了を示すマークを該時間枠の表示欄に付与し、また、該時間枠以後の投薬タイミングは該処方の直下の行の時間枠に表示する制御を行う
処理を実行させること特徴とする付記３又は４記載の制御プログラム。
（付記８）
指示された処方に応じて投薬対象日についての投薬タイミングを明示する投薬スケジュールをカレンダ表示する制御をコンピュータが実行する制御方法であって、
指示済の処方を中止する入力が行われた場合に、処方を中止する当日において中止対象でない処方タイミングが存在することを検出すると、該処方を中止する当日における投薬タイミングの明示を維持しつつ処方の中止を示すマークを該処方を中止する当日の表示欄に表示する制御を行う、
処理を前記コンピュータが実行することを特徴とする制御方法。
（付記９）
指示された処方に応じて投薬時間スケジュールを表示する制御をコンピュータが実行する制御方法であって、
指示済の処方を中止する入力が行われた場合に、処方の中止が行われる当日であって処方を中止する対象の時間よりも前の時間であって、該処方の中止が行われる当日であって中止の対象外の最後の処方を行う時間よりも後の時間の時間枠内に中止される該処方の内容と該処方の中止を示す情報とを含む表示を行う、
処理を前記コンピュータが実行することを特徴とする制御方法。
（付記１０）
指示された処方に応じて投薬対象日についての投薬タイミングを明示する投薬スケジュールをカレンダ表示する制御を行う制御装置であって、
指示済の処方を中止する入力が行われた場合に、処方を中止する当日において中止対象でない処方タイミングが存在することを検出すると、該処方を中止する当日における投薬タイミングの明示を維持しつつ処方の中止を示すマークを該処方を中止する当日の表示欄に表示する制御部を有する
ことを特徴とする制御装置。
（付記１１）
指示された処方に応じて投薬時間スケジュールを表示する制御を行う制御装置であって、
指示済の処方を中止する入力が行われた場合に、処方の中止が行われる当日であって処方を中止する対象の時間よりも前の時間であって、該処方の中止が行われる当日であって中止の対象外の最後の処方を行う時間よりも後の時間の時間枠内に中止される該処方の内容と該処方の中止を示す情報とを含む表示する制御部を有する
ことを特徴とする制御装置。
【符号の説明】
【０２６８】
２            ネットワーク
３            医師端末
５            看護師端末
５ａ          経過表の画面表示指示
５ｂ          処方薬用法情報の取得要求
９            プリンタ
９ａ          経過表
１１          ＣＰＵ
１２          主記憶装置
１３          補助記憶装置
１４          入力装置
１５          表示装置
１６          出力装置
１７          通信Ｉ／Ｆ
１８          ドライブ
１９          記憶媒体
１００        サーバ
１１２        オーダＤＢ
１１４        カーデックスＤＢ
１２０        オーダ受付部
１３０ａ      サーバ記憶部
１３０ｂ      端末記憶部
１４０        オーダ分解部
１６０        オーダ情報提供部
３０１        オーダ情報
５１１        処方薬用法情報
５１２        内部テーブル
５１３ａ      第１内部テーブル
５１３ｂ      第２内部テーブル
５１４、５１４−４        キー情報
５１５        対応テーブル
５１６        経過表
５３０        経過表作成部
５３１        処方薬用法情報取得部
５３２        分解部
５３２ａ      有効日毎分解部
５３２ｂ      分服毎分解部
５３４        表示対象作成部
５３５        経過表画面表示部
【図１】
2015079423.tif 000003
【図２】
2015079423.tif 000004
【図３】
2015079423.tif 000005
【図４】
2015079423.tif 000006
【図５】
2015079423.tif 000007
【図６】
2015079423.tif 000008
【図７】
2015079423.tif 000009
【図８】
2015079423.tif 000010
【図９】
2015079423.tif 000011
【図１０】
2015079423.tif 000012
【図１１】
2015079423.tif 000013
【図１２】
2015079423.tif 000014
【図１３】
2015079423.tif 000015
【図１４】
2015079423.tif 000016
【図１５】
2015079423.tif 000017
【図１６】
2015079423.tif 000018
【図１７】
2015079423.tif 000019
【図１８】
2015079423.tif 000020
【図１９】
2015079423.tif 000021
【図２０】
2015079423.tif 000022
【図２１】
2015079423.tif 000023
【図２２】
2015079423.tif 000024
【図２３】
2015079423.tif 000025
【図２４】
2015079423.tif 000026
【図２５】
2015079423.tif 000027
【図２６】
2015079423.tif 000028
【図２７】
2015079423.tif 000029
【図２８】
2015079423.tif 000030
【図２９】
2015079423.tif 000031
【図３０】
2015079423.tif 000032
【図３１】
2015079423.tif 000033
【図３２】
2015079423.tif 000034
【図３３】
2015079423.tif 000035
【図３４】
2015079423.tif 000036
【図３５】
2015079423.tif 000037
【図３６】
2015079423.tif 000038